(57)【要約】  ビーム管理方法がＵＥによって実施される。一実施形態では、本方法は、ＵＥが、ＵＥのための第１のスケジュールされたダウンリンク送信に関する第１のスケジューリングメッセージを受信することを含み、第１のスケジューリングメッセージは、ＵＥにおいて構成されたオブジェクトを指すポインタ情報を備える。第１のスケジューリングメッセージを受信することの結果として、ＵＥは、第１のスケジューリングメッセージからポインタ情報を取得し、ＵＥは、取得されたポインタ情報に現在関連付けられている好ましい受信構成を決定し、ＵＥは、第１のスケジュールされたダウンリンク送信を受信するために、決定された好ましい受信構成を使用する。【選択図】図４
2020524934.tif 000002
【特許請求の範囲】
【請求項１】
ユーザ機器（ＵＥ）（１０２）によって実施される方法（４００）であって、
前記ＵＥが、前記ＵＥのための第１のスケジュールされたダウンリンク送信に関する第１のスケジューリングメッセージを受信すること（ｓ４０２）であって、前記第１のスケジューリングメッセージが、前記ＵＥにおいて構成されたオブジェクトを指すポインタ情報を備える、第１のスケジューリングメッセージを受信すること（ｓ４０２）と、
前記第１のスケジューリングメッセージを受信することの結果として、
前記ＵＥが、前記第１のスケジューリングメッセージから前記ポインタ情報を取得すること（ｓ４０４）と、
前記ＵＥが、前記取得されたポインタ情報に現在関連付けられている好ましい受信構成を決定すること（ｓ４０６）と、
前記ＵＥが、前記第１のスケジュールされたダウンリンク送信を受信するために、前記決定された好ましい受信構成を使用すること（ｓ４０８）と
を含み、
前記構成されたオブジェクトが、無線リソース制御（ＲＲＣ）構成オブジェクトであり、
前記ＲＲＣ構成オブジェクトが、参照信号（ＲＳ）測定オブジェクトであり、
前記オブジェクトが、複数の参照信号を含んでいる、
方法（４００）。
【請求項２】
前記ＵＥが、前記オブジェクト中の前記複数の参照信号のうちの好ましい参照信号をサービングノードに報告するように構成された、請求項１に記載の方法。
【請求項３】
前記好ましい受信構成がアナログ受信（ＲＸ）ビームである、請求項１または２に記載の方法。
【請求項４】
前記第１のスケジューリングメッセージがダウンリンク制御情報（ＤＣＩ）である、請求項１から３のいずれか一項に記載の方法。
【請求項５】
前記ポインタ情報が、前記ＤＣＩのビットのセットを備え、ビットの前記セットは、少なくとも、前記ＵＥが前記第１のスケジュールされたダウンリンク送信を受信するときに仮定するべきである空間擬似コロケーション（ＱＣＬ）仮定を指示する、請求項４に記載の方法。
【請求項６】
前記測定オブジェクトが、リソースセッティング、ＣＳＩ−ＲＳリソースセット、およびＣＳＩリポートセッティングのうちの１つである、請求項１から５のいずれか一項に記載の方法。
【請求項７】
前記第１のスケジューリングメッセージを受信するより前に、前記ＵＥが、第１のＲＳ測定オブジェクトと第２のＲＳ測定オブジェクトとを構成するための構成メッセージを受信することと、
前記構成メッセージを受信した後におよび前記第１のスケジューリングメッセージを受信するより前に、前記ＵＥが、第１の好ましい受信構成を決定するために前記第１のＲＳ測定オブジェクトを使用することと、
前記ＵＥが、前記第１の好ましい受信構成を前記第１のＲＳ測定オブジェクトに関連付ける（たとえば、前記ＵＥが、前記第１の好ましい受信構成を、前記第１のＲＳ測定オブジェクトを指す前記ポインタ情報に関連付ける）ことと、
前記構成メッセージを受信した後におよび前記第１のスケジューリングメッセージを受信するより前に、前記ＵＥが、第２の好ましい受信構成を決定するために前記第２のＲＳ測定オブジェクトを使用することと、
前記ＵＥが、前記第２の好ましい受信構成を前記第２のＲＳ測定オブジェクトに関連付ける（たとえば、前記ＵＥが、前記第２の好ましい受信構成を、前記第２のＲＳ測定オブジェクトを指す前記ポインタ情報に関連付ける）ことと
をさらに含み、それにより、前記ＵＥは、
前記第１のスケジューリングメッセージ中に含まれる前記ポインタ情報が、前記第１のＲＳ測定オブジェクトを指す場合、前記ＵＥが、前記スケジュールされたダウンリンク送信を受信するために、前記第１の好ましい受信構成を使用することと、
前記第１のスケジューリングメッセージ中に含まれる前記ポインタ情報が、前記第２のＲＳ測定オブジェクトを指す場合、前記ＵＥが、前記スケジュールされたダウンリンク送信を受信するために、前記第２の好ましい受信構成を使用することと
を行うように構成された、請求項１から６のいずれか一項に記載の方法。
【請求項８】
前記第１の好ましい受信構成を決定するために前記第１のＲＳ測定オブジェクトを使用した後に、前記ＵＥが、後のスロットにおいて、第３の好ましい受信構成を決定するために前記第１のＲＳ測定オブジェクトを使用することと、
前記第３の好ましい受信構成を決定した後に、前記ＵＥが、前記第３の好ましい受信構成を前記第１のＲＳ測定オブジェクトに関連付けること、および前記第１のＲＳ測定オブジェクトとの前記第１の好ましい受信構成の関連付けを解除することと、
前記ＵＥが、前記ＵＥのための第２のスケジュールされたダウンリンク送信に関する第２のスケジューリングメッセージを受信することであって、前記第２のスケジューリングメッセージが、前記第１のＲＳ測定オブジェクトを指すポインタ情報を備える、第２のスケジューリングメッセージを受信することと、
前記第２のスケジューリングメッセージを受信したことに応答して、前記ＵＥが、前記第３の好ましい受信構成が前記第１のＲＳ測定オブジェクトに現在関連付けられていると決定することと、
前記ＵＥが、前記第３の好ましい受信構成が前記第１のＲＳ測定オブジェクトに現在関連付けられていると決定することの結果として、前記ＵＥが、前記第２のスケジュールされたダウンリンク送信を受信するために、前記第３の好ましい受信構成を使用することと
をさらに含む、請求項７に記載の方法。
【請求項９】
ユーザ機器（ＵＥ）（１０２）であって、
前記ＵＥのための第１のスケジュールされたダウンリンク送信に関する第１のスケジューリングメッセージを受信することであって、前記第１のスケジューリングメッセージが、前記ＵＥにおいて構成されたオブジェクトを指すポインタ情報を備える、第１のスケジューリングメッセージを受信することと、
前記第１のスケジューリングメッセージを受信することの結果として、
前記第１のスケジューリングメッセージから前記ポインタ情報を取得することと、
前記取得されたポインタ情報に現在関連付けられている好ましい受信構成を決定することと、
前記第１のスケジュールされたダウンリンク送信を受信するために、前記決定された好ましい受信構成を使用することと
を行うように構成され、
前記構成されたオブジェクトが、無線リソース制御（ＲＲＣ）構成オブジェクトであり、
前記ＲＲＣ構成オブジェクトが、参照信号測定オブジェクトであり、
前記オブジェクトが、複数の参照信号を含んでいる、
ユーザ機器（ＵＥ）（１０２）。
【請求項１０】
ユーザ機器（ＵＥ）（１０２）であって、
前記ＵＥのための第１のスケジュールされたダウンリンク送信に関する第１のスケジューリングメッセージを受信するための第１の受信モジュール（７０２）であって、前記第１のスケジューリングメッセージが、前記ＵＥにおいて構成されたオブジェクトを指すポインタ情報を備える、第１の受信モジュール（７０２）と、
前記第１のスケジューリングメッセージから前記ポインタ情報を取得するように構成された取得モジュール（７０４）と、
前記取得されたポインタ情報に現在関連付けられている好ましい受信構成を決定するように構成された決定モジュール（７０６）と、
前記第１のスケジュールされたダウンリンク送信を受信するために、前記決定された好ましい受信構成を使用するように構成された第２の受信モジュール（７０８）と
を備え、
前記構成されたオブジェクトが、無線リソース制御（ＲＲＣ）構成オブジェクトであり、
前記ＲＲＣ構成オブジェクトが、参照信号測定オブジェクトであり、
前記オブジェクトが、複数の参照信号を含んでいる、
ユーザ機器（ＵＥ）（１０２）。
【請求項１１】
前記ＵＥが、前記オブジェクト中の前記複数の参照信号のうちの好ましい参照信号をサービングノードに報告するように構成された、請求項９または１０に記載のＵＥ。
【請求項１２】
前記好ましい受信構成がアナログ受信（ＲＸ）ビームである、請求項９から１１のいずれか一項に記載のＵＥ。
【請求項１３】
前記第１のスケジューリングメッセージがダウンリンク制御情報（ＤＣＩ）である、請求項９から１２のいずれか一項に記載のＵＥ。
【請求項１４】
前記ポインタ情報が、前記ＤＣＩのビットのセットを備え、ビットの前記セットは、少なくとも、前記ＵＥが前記第１のスケジュールされたダウンリンク送信を受信するときに仮定するべきである空間擬似コロケーション（ＱＣＬ）仮定を指示する、請求項１３に記載のＵＥ。
【請求項１５】
前記測定オブジェクトが、リソースセッティング、ＣＳＩ−ＲＳリソースセット、およびＣＳＩリポートセッティングのうちの１つである、請求項９から１４のいずれか一項に記載のＵＥ。
【請求項１６】
ビーム管理のための方法（８００）であって、前記方法は、ネットワーク（ＮＷ）（１０４）によって実施され、
複数のＲＳ測定オブジェクトを用いて、ユーザ機器（ＵＥ）（１０２）を構成すること（ｓ８０２）であって、前記複数のＲＳ測定オブジェクトの各々が、少なくとも１つの測定リソースを含んでいる、ユーザ機器（ＵＥ）（１０２）を構成すること（ｓ８０２）と、
前記構成されたＲＳ測定オブジェクトの各々についての測定リソースを送信すること（ｓ８０４）と、
各ＲＳ測定オブジェクトについて、前記ＲＳ測定オブジェクト内の各測定リソースを送信するために使用される送信構成を記憶すること（ｓ８０６）と、
前記ＲＳ測定オブジェクトの各々について、前記ＵＥから、各ＲＳ測定オブジェクト内の好ましい測定リソースのインジケータを備える測定リポートを受信すること（ｓ８０８）と、
前記ＵＥに、前記ＵＥのための第１のスケジュールされたダウンリンク送信に関する第１のスケジューリングメッセージを送信すること（ｓ８１０）であって、前記第１のスケジューリングメッセージが、前記ＵＥにおいて構成された前記ＲＳ測定オブジェクトのうちの１つを指すポインタ情報を備える、第１のスケジューリングメッセージを送信すること（ｓ８１０）と、
前記第１のスケジューリングメッセージを送信した後に、前記ポインタ情報が指す前記ＲＳ測定オブジェクト内の好ましい測定リソースに対応する送信構成を使用して、前記第１のスケジュールされたダウンリンク送信を送信すること（ｓ８１２）と
を含む、方法（８００）。
【請求項１７】
前記少なくとも１つの測定リソースがＣＳＩ−ＲＳリソースである、請求項１６に記載の方法。
【請求項１８】
ネットワーク（１０４）であって、
複数のＲＳ測定オブジェクトを用いてＵＥを構成することであって、前記複数のＲＳ測定オブジェクトの各々が、少なくとも１つの測定リソースを含んでいる、ＵＥを構成することと、
前記構成されたＲＳ測定オブジェクトの各々についての測定リソースを送信することと、
各ＲＳ測定オブジェクトについて、前記ＲＳ測定オブジェクト内の各測定リソースを送信するために使用される送信構成を記憶することと、
前記ＲＳ測定オブジェクトの各々について、前記ＵＥから、各ＲＳ測定オブジェクト内の好ましい測定リソースのインジケータを備える測定リポートを受信することと、
前記ＵＥに、前記ＵＥのための第１のスケジュールされたダウンリンク送信に関する第１のスケジューリングメッセージを送信することであって、前記第１のスケジューリングメッセージが、前記ＵＥにおいて構成された前記ＲＳ測定オブジェクトのうちの１つを指すポインタ情報を備える、第１のスケジューリングメッセージを送信することと、
前記第１のスケジューリングメッセージを送信した後に、前記ポインタ情報が指す前記ＲＳ測定オブジェクト内の好ましい測定リソースに対応する送信構成を使用して、前記第１のスケジュールされたダウンリンク送信を送信することと
を行うように構成された、ネットワーク（１０４）。
【請求項１９】
ネットワーク（１０４）であって、
複数のＲＳ測定オブジェクトを用いてＵＥを構成するための構成モジュール（１００２）であって、前記複数のＲＳ測定オブジェクトの各々が、少なくとも１つの測定リソースを含んでいる、構成モジュール（１００２）と、
前記構成されたＲＳ測定オブジェクトの各々についての測定リソースを送信するための第１の送信モジュール（１００４）と、
各ＲＳ測定オブジェクトについて、前記ＲＳ測定オブジェクト内の各測定リソースを送信するために使用される送信構成を記憶するための記憶モジュール（１００６）と、
前記ＲＳ測定オブジェクトの各々について、前記ＵＥから、各ＲＳ測定オブジェクト内の好ましい測定リソースのインジケータを備える測定リポートを受信する（たとえば、ＵＥは、各ＲＳ測定オブジェクトが複数の測定リソースを含んでいる場合、前記ＲＳ測定オブジェクト内の好ましいビームを指摘する）ための受信モジュール（１００８）と、
前記ＵＥに、前記ＵＥのための第１のスケジュールされたダウンリンク送信に関する第１のスケジューリングメッセージを送信するための第２の送信モジュール（１０１０）であって、前記第１のスケジューリングメッセージが、前記ＵＥにおいて構成された前記ＲＳ測定オブジェクトのうちの１つを指すポインタ情報を備える、第２の送信モジュール（１０１０）と、
前記第１のスケジューリングメッセージが送信された後に、前記ポインタ情報が指す前記ＲＳ測定オブジェクト内の好ましい測定リソースに対応する送信構成を使用して、前記第１のスケジュールされたダウンリンク送信を送信するための、第３の送信モジュール（１０１２）と
を備える、ネットワーク（１０４）。
【請求項２０】
前記少なくとも１つの測定リソースがＣＳＩ−ＲＳリソースである、請求項１８または１９に記載のネットワーク。
【発明の詳細な説明】
【技術分野】
【０００１】
２つ以上の（すなわち、複数の）送信ビームを使用するシステムにおけるビーム管理のための実施形態が開示される。
【背景技術】
【０００２】
第３世代パートナーシッププロジェクト（３ＧＰＰ）は、次世代移動体通信システム（５Ｇ移動体通信システムまたは単に「５Ｇ」）の開発および設計に取り組み始めた。５Ｇは、今日の４Ｇネットワークの発展と、「新しい無線」（ＮＲ）として知られる新しいグローバルに標準化された無線アクセス技術の追加とを包含する。
【０００３】
ＮＲのための多種多様な要件は、多くの異なるキャリア周波数における周波数帯域が必要とされることを暗示する。たとえば、十分なカバレッジを達成するために、低い帯域が必要とされることになり、必要とされる容量に達するために、より高い帯域（たとえば、ｍｍＷ、３０ＧＨｚ付近および３０ＧＨｚ超など）が必要とされることになる。高い周波数において、その伝搬特性はより困難を伴い、十分なリンクバジェットに達するために基地局（たとえば、ｅＮＢまたはｇＮＢ）における高次ビームフォーミングが必要とされることになる。たとえば、高い伝搬損失を補償するために、より高い周波数においてナロービーム送信および受信方式が必要とされ得る。所与の通信リンクについて、送信ポイント（ＴＲＰ）においてビームが適用され得（すなわち、送信（ＴＸ）ビーム）、ユーザ機器（ＵＥ）においてビームが適用され得る（すなわち、受信（ＲＸ）ビーム）。
【０００４】
ＮＲは、ビーム中心の設計を有することになり、これは、旧来のセル概念が緩和され、ＵＥ（すなわち、スマートフォン、タブレット、センサー、アプライアンスなど、固定または移動無線通信デバイス）が、多くの場合、セルの代わりに、接続され、ナロービーム間の「ハンドオーバ」を実施することを意味する。このため、３ＧＰＰは、ビーム間のモビリティ（ＴＲＰ内とＴＲＰ間の両方）をハンドリングするための概念を導入することに同意した。本明細書で使用されるＴＲＰは、たとえば、基地局または基地局の構成要素を含み得る。高利得ビームフォーミングが必要とされるより高い周波数において、各ビームは、小さいエリア（すなわち、ビームのカバレッジエリア）内で最適であるにすぎず、カバレッジエリア外のリンクバジェットが急速に劣化することになる。このため、高性能を維持するために、頻繁なおよび高速のビーム切替え方法（いわゆるビーム管理）が必要とされ、スケジュールされた送信を送信するために、どのＴＲＰ  ＴＸビームが使用されるかに関してＵＥに通知し、それにより、ＵＥが、それに応じてＵＥのＲＸビームを調整することができるようになる、ビームインジケータをスケジューリングダウンリンク制御情報（ＤＣＩ）メッセージ中に含めることが同意された。これは、ＵＥが、ダウンリンクデータが到着する前に、そのＲＸビームを向けるべき方向を知ることを必要とするので、アナログＲＸビームフォーミングの場合、特に重要である。
【発明の概要】
【０００５】
ＴＲＰが、選定されたＴＲＰ  ＴＸビームを使用してＵＥにデータを送信するとき、ＵＥが、ダウンリンク（ＤＬ）送信を受信するために、選定されたＴＲＰ  ＴＸビームとペアリングされたＵＥ  ＲＸビームを使用することは有利である（すなわち、ＴＲＰがＤＬ送信のために使用するために選定したＴＲＰ  ＴＸビームに基づいて、ＵＥが、その受信ビームまたは受信フィルタを同調させることは有利である）。２０１６年１１月４日に出願された米国仮特許出願第６２／４１７，７８５号は、ＵＥが最適なＵＥ  ＲＸビームを選択するのを援助するための専用ビームインジケータをＵＥに送るようにＴＲＰを構成することを提案する。
【０００６】
本開示では、ＵＥにおいて構成されたオブジェクトの識別子（たとえば、たとえば、リソースセッティング構成によって構成された参照信号（ＲＳ）測定オブジェクトなど、ＲＲＣ構成オブジェクト）が、ビームインジケータの役割を担うことが提案される。このため、いくつかの実施形態では、ＵＥは、複数のそのようなオブジェクトが上位レイヤによって構成され、ＵＥは、オブジェクトの各々について好ましい受信構成（たとえば、アナログＲＸビーム）を追跡することができる。好ましい受信構成は、ＵＥが各オブジェクトについての測定を実施するたびに更新され得る。ある実施形態では、各オブジェクトが複数の参照信号を有し、ＵＥは、各オブジェクト中の各参照信号について好ましい受信機組合せを追跡することができる。
【０００７】
ＰＤＳＣＨまたはＰＵＳＣＨがスケジュールされたとき、ＤＣＩは、オブジェクトを指すフィールドを含んでおり、したがって、ＵＥは、ＤＣＩ中で指示されたオブジェクトに従って、それぞれ、（ＰＤＳＣＨまたはＰＵＳＣＨについて）受信または送信フィルタ処理を適用することができる。その上、ＰＤＣＣＨ／ＰＤＳＣＨおよびＰＵＣＣＨ／ＰＵＳＣＨも、たとえば、上位レイヤ構成によって、オブジェクトに関連付けられ得る。オブジェクトが複数の参照信号を有する場合、ＵＥは、ＵＥが最近ネットワークにその選好を指示した、指示されたオブジェクト内のＲＳのための好ましい受信構成を使用することになる。このため、ネットワークは、オブジェクトを選択し、ＵＥは、そのオブジェクト内のＲＳを前に選択している。この共同のネットワーク−ＵＥ選択は、それぞれ、ＰＤＳＣＨ受信／送信のために、ＵＥがどの受信構成を使用するべきか、およびネットワークがどの送信構成を使用するべきかを決定する。
【０００８】
したがって、本明細書で提示される実施形態は、出願第６２／４１７，７８５号において提案されるＢＴＰＩの効率的な実装形態を提供する。特に、実施形態は、ＣＳＩ−ＲＳリソースごとのビーム追跡プロセスＩＤの明示的指示の必要を取り除き、ビーム追跡プロセスフレームワークを確立する必要がない。むしろ、オブジェクトＩＤは、暗黙的様式でビーム追跡プロセス指示の目的を果たし、それにより、シグナリングオーバーヘッドを節約し、ビーム追跡プロセスを確立する必要を回避する。
【０００９】
したがって、一態様では、ＵＥによって実施される方法が提供される。一実施形態では、本方法は、ＵＥが、ＵＥのための第１のスケジュールされたダウンリンク送信に関する第１のスケジューリングメッセージを受信することを含み、第１のスケジューリングメッセージは、ＵＥにおいて構成されたオブジェクトを指すポインタ情報を備える。第１のスケジューリングメッセージを受信することの結果として、ＵＥは、第１のスケジューリングメッセージからポインタ情報を取得し、ＵＥは、取得されたポインタ情報に現在関連付けられている好ましい受信構成を決定し、ＵＥは、第１のスケジュールされたダウンリンク送信を受信するために、決定された好ましい受信構成を使用する。
【００１０】
いくつかの実施形態では、ＵＥは、オブジェクト中の複数の参照信号のうちの好ましい参照信号をサービングノードに報告するように構成される。いくつかの実施形態では、好ましい受信構成はアナログ受信（ＲＸ）ビームである。いくつかの実施形態では、第１のスケジューリングメッセージはダウンリンク制御情報（ＤＣＩ）である。いくつかの実施形態では、ポインタ情報は、ＤＣＩのビットのセットを備え、ビットのセットは、少なくとも、ＵＥが第１のスケジュールされたダウンリンク送信を受信するときに仮定するべきである空間擬似コロケーション（ＱＣＬ：ｑｕａｓｉ−ｃｏ−ｌｏｃａｔｉｏｎ）仮定を指示する。いくつかの実施形態では、測定オブジェクトは、リソースセッティング、ＣＳＩ−ＲＳリソースセット、およびＣＳＩリポートセッティングのうちの１つである。
【００１１】
いくつかの実施形態では、本方法は、第１のスケジューリングメッセージを受信するより前に、ＵＥが、第１のＲＳ測定オブジェクトと第２のＲＳ測定オブジェクトとを構成するための構成メッセージを受信することと、構成メッセージを受信した後におよび第１のスケジューリングメッセージを受信するより前に、ＵＥが、第１の好ましい受信構成を決定するために第１のＲＳ測定オブジェクトを使用することと、ＵＥが、第１の好ましい受信構成を第１のＲＳ測定オブジェクトに関連付ける（たとえば、ＵＥが、第１の好ましい受信構成を、第１のＲＳ測定オブジェクトを指すポインタ情報に関連付ける）ことと、構成メッセージを受信した後におよび第１のスケジューリングメッセージを受信するより前に、ＵＥが、第２の好ましい受信構成を決定するために第２のＲＳ測定オブジェクトを使用することと、ＵＥが、第２の好ましい受信構成を第２のＲＳ測定オブジェクトに関連付ける（たとえば、ＵＥが、第２の好ましい受信構成を、第２のＲＳ測定オブジェクトを指すポインタ情報に関連付ける）こととをも含み、それにより、ＵＥは、第１のスケジューリングメッセージ中に含まれるポインタ情報が、第１のＲＳ測定オブジェクトを指す場合、ＵＥが、スケジュールされたダウンリンク送信を受信するために、第１の好ましい受信構成を使用することと、第１のスケジューリングメッセージ中に含まれるポインタ情報が、第２のＲＳ測定オブジェクトを指す場合、ＵＥが、スケジュールされたダウンリンク送信を受信するために、第２の好ましい受信構成を使用することとを行うように構成される。
【００１２】
いくつかの実施形態では、本方法は、第１の好ましい受信構成を決定するために第１のＲＳ測定オブジェクトを使用した後に、ＵＥが、後のスロットにおいて、第３の好ましい受信構成を決定するために第１のＲＳ測定オブジェクトを使用することと、第３の好ましい受信構成を決定した後に、ＵＥが、第３の好ましい受信構成を第１のＲＳ測定オブジェクトに関連付けること、および第１のＲＳ測定オブジェクトとの第１の好ましい受信構成の関連付けを解除することと、ＵＥが、ＵＥのための第２のスケジュールされたダウンリンク送信に関する第２のスケジューリングメッセージを受信することであって、第２のスケジューリングメッセージが、第１のＲＳ測定オブジェクトを指すポインタ情報を備える、第２のスケジューリングメッセージを受信することと、第２のスケジューリングメッセージを受信したことに応答して、ＵＥが、第３の好ましい受信構成が第１のＲＳ測定オブジェクトに現在関連付けられていると決定することと、ＵＥが、第３の好ましい受信構成が第１のＲＳ測定オブジェクトに現在関連付けられていると決定することの結果として、ＵＥが、第２のスケジュールされたダウンリンク送信を受信するために、第３の好ましい受信構成を使用することとをさらに含み得る。
【００１３】
別の態様では、上記のプロセスを実施するように構成されたＵＥが提供される。
【００１４】
別の態様では、ビーム管理のための方法が提供され、本方法は、ネットワークによって実施される。本方法は、複数のＲＳ測定オブジェクトを用いてＵＥを構成することであって、複数のＲＳ測定オブジェクトの各々が、少なくとも１つの測定リソースを含んでいる、ＵＥを構成することと、構成されたＲＳ測定オブジェクトの各々についての測定リソースを送信することと、各ＲＳ測定オブジェクトについて、ＲＳ測定オブジェクト内の各測定リソースを送信するために使用される送信構成を記憶することと、ＲＳ測定オブジェクトの各々について、ＵＥから、各ＲＳ測定オブジェクト内の好ましい測定リソースのインジケータを備える測定リポートを受信することと、ＵＥに、ＵＥのための第１のスケジュールされたダウンリンク送信に関する第１のスケジューリングメッセージを送信することであって、第１のスケジューリングメッセージが、ＵＥにおいて構成されたＲＳ測定オブジェクトのうちの１つを指すポインタ情報を備える、第１のスケジューリングメッセージを送信することと、第１のスケジューリングメッセージを送信した後に、ポインタ情報が指すＲＳ測定オブジェクト内の好ましい測定リソースに対応する送信構成を使用して、第１のスケジュールされたダウンリンク送信を送信することとを含む。
【００１５】
本明細書に組み込まれ、明細書の一部をなす添付の図面は、様々な実施形態を示している。
【図面の簡単な説明】
【００１６】
【図１】ＴＲＰとＵＥとの間の通信のためのアクティブＴＸビームおよび監視されたＴＸビームの使用を示す図である。
【図２】ＣＳＩフレームワークの一例を示す図である。
【図３】例示的なリソースセッティングを示す図である。
【図４】いくつかの実施形態による、プロセスを示すフローチャートである。
【図５】いくつかの実施形態による、プロセスを示すフローチャートである。
【図６】いくつかの実施形態による、ＵＥのブロック図である。
【図７】いくつかの実施形態による、ＵＥの機能モジュールを示す図である。
【図８】いくつかの実施形態による、プロセスを示すフローチャートである。
【図９】いくつかの実施形態による、ＴＲＰのブロック図である。
【図１０】いくつかの実施形態による、ＴＲＰの機能モジュールを示す図である。
【図１１】中間ネットワークを介してホストコンピュータに接続された電気通信ネットワークを概略的に示す図である。
【図１２】部分的に無線接続上で基地局を介してユーザ機器と通信するホストコンピュータの一般化されたブロック図である。
【図１３】ホストコンピュータと、基地局と、ユーザ機器とを含む通信システムにおいて実装される方法を示すフローチャートである。
【図１４】ホストコンピュータと、基地局と、ユーザ機器とを含む通信システムにおいて実装される方法を示すフローチャートである。
【発明を実施するための形態】
【００１７】
あるビームのチャネル品質の測定を実施するために、ビームフォーミングされた参照信号（ＲＳ）が使用され得る。このＲＳは、チャネル状態情報ＲＳ（ＣＳＩ−ＲＳ）、同期信号ブロック（ＳＳＢｌｏｃｋ）、時間周波数追跡ＲＳ（ＴＲＳ）、または他のＲＳであり得る。ビームフォーミングは、たとえば、アンテナアレイの複数のアンテナエレメントから、アンテナエレメントの各々について振幅および／または位相シフトが適用された、同じ信号を送信することを含み得る。これらの振幅／位相シフトは、通常、アンテナ重みとして表され、アンテナの各々についてのアンテナ重みの集合は、プリコーディングベクトルである。
【００１８】
異なるプリコーディングベクトルが送信信号のビームフォーミングを生じ、重みは、信号が、アンテナアレイから見たある角度方向においてコヒーレントに合成しているように制御され得、その場合、ビームがその「方向」において形成されたと言われることがある。アレイのアンテナが２次元に（すなわち、平面に）配置された場合、ビームは、アンテナアレイに垂直の平面に対して方位角方向と仰角方向の両方においてステアリングされ得る。
【００１９】
ビームという用語が本明細書で使用されるが、チャネルに適合され、厳密な意味でビームを与えない送信を与える、他のプリコーディングベクトルがある。たとえば、チャネルがＴＲＰにおいて知られている場合、プリコーディング重みは、ある方向において最大アレイ利得を与えるためにビームを形成する代わりに、信号強度がＵＥにおいて最大化されるように制御され得る。適合されたチャネルプリコーディングは、受信機における信号電力を最大化するために最適であり得るが、正確なチャネル情報を必要とし得る。しかしながら、見通し線チャネルでは、ビームの使用は、しばしばほぼ最適である。ビームに関して説明されるが、本明細書の開示は一般性の喪失なしに提示される。
【００２０】
ＮＲでは、ビーム管理のための参照信号としてＣＳＩ−ＲＳが使用されることが提案されているが、他の信号も考慮されている（たとえば、ＳＳＢｌｏｃｋ）。以下では、一般性の喪失なしに、ビーム管理のために使用されるＲＳをＣＳＩ−ＲＳとして表す。ネットワーク（ＮＷ）、ＮＲ基地局（ｇＮＢ）、または別のノードは、無線リソース制御（ＲＲＣ）メッセージなど、制御メッセージによるＣＳＩ−ＲＳ構成を用いてＵＥを構成し得る。各構成は、１つまたは複数のＣＳＩ−ＲＳリソースを識別する情報を含んでいることがある。その場合、１つまたは複数のＵＥが、これらの識別されたＣＳＩ−ＲＳリソースに対して測定を実施し、ネットワークに結果を報告し得る。
【００２１】
１．ビーム管理のための測定
【００２２】
あるビーム測定プロシージャでは、リソースセッティングにおける各ＣＳＩ−ＲＳリソースが、異なるＴＲＰ  ＴＸビームにおいて（すなわち、ＴＲＰアンテナアレイから見た異なる方向においてビームを形成するために、異なるマルチアンテナプリコーディング重みを用いて）送信される。ＵＥは、異なるＴＲＰ  ＴＸビームに対応する構成されたＣＳＩ−ＲＳリソースを使用して、（参照信号受信電力（ＲＳＲＰ）などの）チャネル品質測定を実施するように構成され、さらに、ＮＷにこれらの測定を報告するように構成され得る。ＵＥは、ＣＳＩ−ＲＳリソースのＲＳＲＰを、最高ＲＳＲＰおよびＲＳＲＰがどのリソースであるかのインジケータとともに、報告し得る。代替的に、ＵＥは、上位Ｎ個のリソースを報告し得、ここで、Ｎ＞１である。このようにして、（１つまたは複数の）測定リポートを使用することによって、ＮＷが、所与のＵＥのための好ましい（１つまたは複数の）ＴＲＰ  ＴＸビームを見つけることが可能である。
【００２３】
別のビーム測定プロシージャでは、各ＣＳＩ−ＲＳリソースが、同じ特定のＴＲＰ  ＴＸビームを使用して送信される。このようにして、ＵＥは、特定のＴＲＰ  ＴＸビームについていくつかの異なるＵＥ  ＲＸビームを評価することができ、特定のＴＲＰ  ＴＸビームについて好ましいまたは「最適な」ＵＥ  ＲＸビームを見つけることができる。同じビームにおける、たとえば、異なるＯＦＤＭシンボルにおける、または時間領域繰返しパターンを生じる周波数領域コムを使用する、ＣＳＩ−ＲＳリソースの反復送信は、たとえば、アナログ受信ビームフォーミングがＵＥにおいて適用されるときに有用であり、なぜなら、その場合、ＵＥは、ＯＦＤＭシンボル間でＲＸビームを切り替え、リンク品質を評価することができるからである。
【００２４】
ＣＳＩ−ＲＳ送信は、非周期的（たとえばイベントトリガ型）であるか、または半永続的／周期的様式で送信されるかのいずれかであり得る。ＣＳＩ−ＲＳ送信が半永続的／周期的様式で送信される場合、測定リポートも半永続的／周期的様式で構成され得る。
【００２５】
上記で説明された測定プロシージャを使用して、ＵＥは、好ましいＴＲＰ  ＴＸビームと、そのＴＲＰ  ＴＸビームについての対応する好ましいＵＥ  ＲＸビームとを見つけることができる。ＴＸ−ＲＸビームペアは、ビームペアリンク（ＢＰＬ）と呼ばれることがある。
【００２６】
２．ロバストなビーム管理
【００２７】
しかしながら、ＵＥをナロービームに接続することに関する１つの問題は、たとえば、オブジェクトが、リンクの邪魔になっており、リンクを遮断する場合、ＢＰＬが容易に劣化され得ることである。高い周波数においてしばしば高い透過損失および不十分な回折特性であることにより、遮断オブジェクトが、ＴＲＰとＵＥとの間の失われた接続（いわゆるビームリンク障害（ＢＬＦ）またはＢＰＬ障害（ＢＰＬＦ））につながることがあり、これは、ドロップされた呼および悪いユーザエクスペリエンスにつながり得る。
【００２８】
ビームリンク障害の問題を緩和するための１つのやり方は、第１の、アクティブＴＸビームがＢＬＦを経験する（たとえば、遮断される）場合に使用され得る、第２の、監視された（別名、「バックアップ」）送信ビームを使用することである。このため、ＵＥと接続するために少なくとも２つのＴＸビームが使用され得る。これの一例が、図１Ａ、図１Ｂおよび図１Ｃに示されている。図１Ａでは、ＴＲＰ１０４（たとえば、基地局）が、ＵＥ１０２に制御情報およびユーザデータを送信するために１つのアクティブＴＸビーム１１２を使用することと、ＵＥ１０２のための１つの監視された（バックアップ）ＴＸビーム１１４をさらに使用することとが示されている。図１Ｂでは、アクティブＴＸビームを遮断しており、それにより、ＵＥ１０２がアクティブＴＸビーム１１２に関してＢＬＦを検出することを引き起こす、オブジェクト１９０が示されている。ＴＲＰ１０４とＵＥ１０２との間の接続を復元するために、ＴＲＰ１０４は、図１Ｃに示されているように、ＵＥ１０２のためのアクティブＴＸビームとして、監視されたＴＸビーム１１４を使用することができる。したがって、いくつかの態様によれば、監視されたリンクの目的は、（１）アクティブリンクよりも良好であり得る新しいリンクを発見すること、および（２）アクティブリンクが切れた場合、バックアップリンクを提供することである。
【００２９】
図１Ａ〜図１Ｃの例では、各ＴＲＰ  ＴＸビーム１１２および１１４に関連付けられた１つのＵＥ  ＲＸビームがあり、これは、ＵＥ１０２においてアナログまたはハイブリッド受信ビームフォーミングが使用される場合、しばしば当てはまる。詳細には、ＵＥ  ＲＸビーム１１６は、ＴＲＰ  ＴＸビーム１１２とペアリングされ、ＵＥ  ＲＸビーム１１８は、ＴＲＰ  ＴＸビーム１１４とペアリングされる。ＵＥ１０２が純粋なアナログ受信ビームフォーミングを使用する場合、ＵＥ１０２は、ＵＥ１０２のＲＸビームを、一度に、たとえば、ＯＦＤＭシンボルごとに、１つのＴＲＰ送信ビームのみに同調させることができる。同様に、ＴＲＰ１０４がアナログ送信ビームフォーミングを使用する場合、一度に、たとえば、ＯＦＤＭシンボルごとに、１つのビームのみが送信され得る。このため、所与の時間において送信ビームを正しい受信ビームと整合させる必要がある。ＴＲＰ  ＴＸビームの各々について、所与の時点において、可能なＵＥ  ＲＸビームのセットのうち、そのＴＸビームに関連付けられた好ましいまたは「最適な」ＵＥ  ＲＸビーム（すなわち、パラメータ）がある。
【００３０】
３．ビーム管理のためのシグナリング
【００３１】
ＮＲでは、ユニキャストＤＬデータチャネルの受信について、ＮＲが、ＤＬデータチャネルの（１つまたは複数の）ＤＬ  ＲＳアンテナポートと（１つまたは複数の）ＤＭＲＳアンテナポートとの間の空間ＱＣＬ仮定の指示をサポートすることが同意された。（１つまたは複数の）ＲＳアンテナポートを指示する情報が、ＤＣＩ（ダウンリンクグラント）、すなわち、ＵＥ固有指示を介して指示される。その情報は、（１つまたは複数の）ＤＭＲＳアンテナポートとＱＣＬされた（１つまたは複数）ＲＳアンテナポートを指示し、空間ＱＣＬ（「空間擬似コロケーション」）は、ＤＬ  ＲＳとして解釈され得、ＤＭＲＳは、ＵＥにおいて空間的に等価なやり方で、言い換えれば、同じ空間フィルタ、空間プリコーダまたはビームを使用して受信され得る。
【００３２】
各リンク（アクティブまたは監視された）についての好ましいＴＲＰおよびＵＥビームを見つけ、維持するための１つのやり方は、リンクごとに別個のビーム追跡プロセスを構成することである。ビーム追跡プロセスは、ＮＷにおいて規定され、異なるビームにおいて参照信号（たとえば、ＣＳＩ−ＲＳ、ＢＲＳまたは同様のもの）の送信に関連付けられ得、これらは測定され、ＵＥから報告されることになる。このため、各ビーム追跡プロセスは、そのプロセスに関連付けられた測定を使用して更新され得る。測定の目的は、しばしばビームペアリンク（ＢＰＬ）と呼ばれる、ＴＲＰ  ＴＸビームおよびＵＥ  ＲＸビームを更新し、改良することである。本明細書の開示はダウンリンクに関して提供されるが、ＢＰＬは、アップリンク送信のためにも使用され得、特に、ＵＥ  ＲＸビームおよびＵＥ  ＴＸビームがうまく較正され（同じビーム方向）、ＴＲＰ  ＴＸビームおよびＴＲＰ  ＲＸビームについて同じである場合に使用され得る。すなわち、本明細書で開示されるプロセスは、アップリンク通信のために使用されるビームを識別し、管理するために使用され得る。
【００３３】
２０１６年１１月４日に出願された米国仮特許出願第６２／４１７，７８５号は、ビーム追跡プロセスの確立を導入し、このため、ＣＳＩ−ＲＳ構成におけるビーム追跡プロセスインデックスを導入しており、したがって、ＵＥは、ＣＳＩ−ＲＳに対して測定を実施するとき、どのＣＳＩ−ＲＳ構成がどのビーム追跡プロセス（およびリンク）に対応するかを知ることになる。それにより、ネットワークは、ビーム追跡プロセスインデックスの動的指示によって、異なるビーム追跡プロセスの測定をトリガすることができる。また、ＣＳＩ−ＲＳ構成、したがって、関係する測定が、ビーム追跡プロセスに関係しないかどうかを述べる追加のフラグがＣＳＩ−ＲＳ構成中に含められ得る。このため、各ＣＳＩ−ＲＳは、リソースが属するビーム追跡プロセスを指示する明示的インジケータビットフィールドを有し得る。
【００３４】
４．ＣＳＩフレームワークにおけるリンク適応のための測定
【００３５】
ＮＲについて同意されたＣＳＩフレームワークは、多種多様な使用事例ならびにＣＳＩリソースの動的再使用を可能にする。同意されたＣＳＩフレームワークにより、ＵＥは、Ｎ≧１個のＣＳＩリポートセッティング、Ｍ≧１個のリソースセッティング、および１つのＣＳＩ測定セッティングを用いて、上位レイヤによって構成され得る。測定セッティングは、Ｌ≧１個のリンクを含み、各リンクは、１つのリポートセッティングを１つのリソースセッティングに関連付ける。図２は、ＮＲにおける同意されたＣＳＩフレームワークの一例を示し、ここで、Ｎ＝２、Ｍ＝４、およびＬ＝５である。
【００３６】
各ＣＳＩリポートセッティング内で、ＵＥは、（１つまたは複数の）報告されたＣＳＩパラメータ、コードブック構成パラメータ、ＣＳＩ報告の時間領域挙動（すなわち、周期的、半永続的、または非周期的）、コードブックサブセット制限および測定制限など、パラメータを用いて（上位レイヤによって）構成される。
【００３７】
各リソースセッティング内で、ＵＥは、Ｓ≧１個のＣＳＩ−ＲＳリソースセットの構成を用いて（上位レイヤによって）構成される。各ＣＳＩ−ＲＳリソースセット内で、ＵＥは、Ｋ＿ｓ≧１個のＣＳＩ−ＲＳリソースを用いて、上位レイヤによってさらに構成され、ＣＳＩ−ＲＳリソースは、ＲＥへの異なるマッピング、異なる数のポート、および異なる時間領域挙動（すなわち、周期的、半永続的、または非周期的）を有することができる。Ｓ＝２個のＣＳＩ−ＲＳリソースセットをもつ例示的なリソースセッティングが図３に示されている。この例では、２つのＣＳＩ−ＲＳリソースセットは、各々４つのＣＳＩ−ＲＳリソース（すなわち、Ｋ＿１＝４およびＫ＿２＝４）からなる。図３の例に見られるように、各ＣＳＩ−ＲＳリソースセット内のＣＳＩ−ＲＳリソースは、混合された数のポートおよび時間領域挙動を有する。ＵＥは、次いで、適用可能な場合、ａ）ＣＳＩ測定セッティング内から選択された１つまたは複数のＣＳＩリポートセッティング、ｂ）少なくとも１つのリソースセッティングから選択された１つまたは複数のＣＳＩ−ＲＳリソースセット、およびｃ）少なくとも１つのＣＳＩ−ＲＳリソースセットから選択された１つまたは複数のＣＳＩ−ＲＳリソースを含む動的指示を受信する。
【００３８】
５．制御シグナリングのための機構
【００３９】
このセクションでは、上述の動的指示を実施する異なるやり方が説明される。
【００４０】
ＬＴＥ制御シグナリングは、ＰＤＣＣＨまたはＰＵＣＣＨ上で制御情報を搬送することを含む、様々なやり方で搬送され得、ＰＵＳＣＨ中に、ＭＡＣ制御要素（ＭＡＣ  ＣＥ）中に、またはＲＲＣシグナリング中に埋め込まれ得る。これらの機構の各々は、特定の種類の制御情報を搬送するようにカスタマイズされる。
【００４１】
ＰＤＣＣＨ、ＰＵＣＣＨ上で搬送されるかまたはＰＵＳＣＨ中に埋め込まれる制御情報は、ＬＴＥの場合は３ＧＰＰ  ＴＳ３６．２１１、３６．２１２、および３６．２１３、ならびに、ＮＲの場合は３ＧＰＰ  ＴＳ３８．２１１、３８．２１２、３８．２１３および３８．２１４で説明されるように、ダウンリンク制御情報（ＤＣＩ）、アップリンク制御情報（ＵＣＩ）など、物理レイヤ関係制御情報である。ＤＣＩは、概して、何らかの物理レイヤ機能を実施するようにＵＥに命令するために使用され、その機能を実施するために、必要とされる情報を提供する。ＵＣＩは、概して、ＣＱＩ、ＰＭＩ、ＲＩ、および／またはＣＲＩを含む、ＨＡＲＱ−ＡＣＫ、スケジューリング要求（ＳＲ）、チャネル状態情報（ＣＳＩ）など、必要とされる情報をネットワークに提供する。ＵＣＩおよびＤＣＩは、サブフレームごとに送信され得、したがって、高速フェージング無線チャネルに伴って変動することがあるパラメータを含む、迅速に変動するパラメータをサポートするように設計される。ＵＣＩおよびＤＣＩは、あらゆるサブフレームにおいて送信され得るので、所与のセルに対応するＵＣＩまたはＤＣＩは、制御オーバーヘッドの量を限定するために、数十ビット程度である傾向がある。
【００４２】
ＭＡＣ  ＣＥ中で搬送される制御情報は、３ＧＰＰ  ＴＳ３６．３２１で説明されるように、アップリンク共有トランスポートチャネルおよびダウンリンク共有トランスポートチャネル（ＵＬ−ＳＣＨおよびＤＬ−ＳＣＨ）上でＭＡＣヘッダ中で搬送される。ＭＡＣヘッダは固定サイズを有しないので、ＭＡＣ  ＣＥ中の制御情報は、それが必要とされるときに送られ得、必ずしも固定オーバーヘッドを表すとは限らない。さらに、ＭＡＣ  ＣＥは、効率的により大きい制御ペイロードを搬送することができ、なぜなら、ＭＡＣ  ＣＥが、ＵＬ−ＳＣＨまたはＤＬ−ＳＣＨトランスポートチャネル中で搬送されるからであり、これらは、リンク適応、ＨＡＲＱから恩恵を受け、ＬＤＰＣコーディングされ得る。ＭＡＣ  ＣＥは、タイミングアドバンスまたはバッファステータス報告を維持することなど、パラメータの固定セットを使用する反復的なタスクを実施するために使用されるが、これらのタスクは、概して、サブフレームごとのＭＡＣ  ＣＥの送信を必要としない。したがって、ＰＭＩ、ＣＱＩ、ＲＩ、およびＣＲＩなど、高速フェージング無線チャネルに関係するチャネル状態情報は、Ｒｅｌ−１４までのＬＴＥでは、ＭＡＣ  ＣＥ中で搬送されない。
【００４３】
６．実施形態
【００４４】
発明の概要セクションにおいて説明されたように、ＴＲＰが、選定されたＴＲＰ  ＴＸビームを使用してＵＥにデータを送信するとき、ＵＥが、選定されたＴＲＰ  ＴＸビームとペアリングされたＵＥ  ＲＸビームを使用してダウンリンク（ＤＬ）送信を受信することは有利である（すなわち、ＴＲＰがＤＬ送信のために使用するために選定したＴＲＰ  ＴＸビームに基づいて、ＵＥが、その受信ビームまたは受信フィルタを同調させることは有利である）。２０１６年１１月４日に出願された米国仮特許出願第６２／４１７，７８５号は、ＵＥが最適なＵＥ  ＲＸビームを選択するのを援助するための専用ビームインジケータ（代替的にビームプロセスインジケータ）をＵＥに送るようにＴＲＰを構成することを提案する。各そのようなビームプロセスについて、ＵＥは、好ましいＵＥ  ＲＸビームを記憶し、ネットワークは、関連付けられたＴＸビームを記憶する。
【００４５】
本開示では、ＵＥにおいて構成されたオブジェクトの識別子（たとえば、たとえば、参照信号（ＲＳ）測定オブジェクト、リソースセッティングなど、ＲＲＣ構成オブジェクト）が、ビームインジケータの役割を担うことが提案される。したがって、ビーム指示は暗黙的であり、明示的「ビーム指示」ビットがなく、オブジェクト識別子は、暗黙的ビーム指示として代わりに再使用される。このため、いくつかの実施形態では、ＵＥには、少なくとも２つのそのようなオブジェクトが上位レイヤによって構成され、ＵＥは、オブジェクトの各々について好ましい受信構成（たとえば、アナログＲＸビーム）を追跡することができる。オブジェクトについての好ましい受信構成は、ＵＥが各オブジェクトについての測定を実施するたびに更新され得る。
【００４６】
ＰＤＳＣＨまたはＰＵＳＣＨがスケジュールされたとき、ＤＣＩは、オブジェクトを指すフィールドを含んでおり、したがって、ＵＥは、ＤＣＩ中で指示されたオブジェクトに従って、それぞれ、（ＰＤＳＣＨまたはＰＵＳＣＨについて）受信または送信フィルタ処理を適用することができる。その上、ＰＤＣＣＨ／ＰＤＳＣＨおよびＰＵＣＣＨ／ＰＵＳＣＨも、たとえば、上位レイヤ構成によって、オブジェクトに関連付けられ得る。
【００４７】
したがって、本明細書で提示される実施形態は、出願第６２／４１７，７８５号において提案されるＢＴＰＩの効率的な実装形態を提供する。特に、実施形態は、ＣＳＩ−ＲＳリソースごとのビーム追跡プロセスＩＤの明示的指示の必要を取り除き、ビーム追跡プロセスフレームワークを確立する必要がない。むしろ、オブジェクトＩＤは、暗黙的様式でビーム追跡プロセス指示の目的を果たし、それにより、シグナリングオーバーヘッドを節約し、ビーム追跡プロセスを確立する必要を回避する。
【００４８】
特定の一実施形態では、ＲＳ測定構成のために規定されたフレームワークおよびリンク適応のために設計された報告が、ビーム指示のために再使用される。ＲＳフレームワークの一例は、上記で説明された、３ＧＰＰにおいてすでに同意されたＣＳＩフレームワークである。このＣＳＩフレームワークは、この説明において使用されるが、この実施形態は、ＣＳＩフレームワークにおける現在の内容に限定されない。たとえば、追加の参照信号、たとえば、ＳＳブロックがフレームワークに追加され得るとき、実施形態は、それらの信号にも適用可能である。ＣＳＩフレームワークにおけるオブジェクトが、「リソースセッティング」または「ＣＳＩ−ＲＳリソースセット」または「ＣＳＩリポートセッティング」のいずれかとして以下で規定され、使用される。
【００４９】
このため、この実施形態では、リソースセッティングは、ＤＬ  ＤＭＲＳ、ＤＬ  ＣＳＩ−ＲＳ、ＤＬ  ＴＲＳ（時間および／または周波数オフセット推定、したがって、チャネル追跡のための参照信号）、ＤＬ  ＰＴＲＳまたはＵＬ  ＳＲＳまたはＵＬ  ＤＭＲＳなど、任意の参照信号または同期チャネルを指すことがある。
【００５０】
この実施形態の特徴は、ＰＤＣＣＨ中のビーム指示ビットがそのようなオブジェクトを参照することである。このため、上位レイヤが、複数のそのようなオブジェクトを用いてＵＥを構成し、ＵＥは、オブジェクトの各々について好ましい受信構成（たとえば、アナログＲＸビーム）を追跡する。オブジェクトについての好ましい受信構成は、ＵＥが各オブジェクトについての測定を実施するたびに更新される。このため、オブジェクトに関連付けられた受信構成は、静的でなく、実施された測定に基づいて更新され得る。代替ソリューションでは、オブジェクトについての好ましい受信機は、ＵＥがオブジェクトについての測定を実施するとき、およびＵＥがオブジェクトについての測定を実施するように構成されたとき、更新され、たとえば、測定をトリガするＤＣＩメッセージによって制御される。オブジェクトをデータ送信またはデータ受信に関連付けることによって、ＵＥは、次いで、シグナリングされたオブジェクト識別子に基づいて、ＰＤＳＣＨまたはＰＤＣＣＨを受信するための受信構成を選択するように準備される。
【００５１】
また、本明細書で説明される実施形態は、前の段落においてダウンリンクについて説明されたのと同様の様式でアップリンク送信のために適用され、したがって、ＰＵＳＣＨ、ＰＵＣＣＨまたはＳＲＳ送信がオブジェクトに関連付けられ、オブジェクトのセットのうち、そのオブジェクトが、ＤＣＩによって、あるいはＲＲＣまたはＭＡＣ  ＣＥなどの上位レイヤによってＵＥにシグナリングされる。
【００５２】
一実施形態では、ＵＥがデータを受信または送信するときに仮定するべきである擬似コロケーション（ＱＣＬ）仮定を指示するＤＣＩフィールドが、ビーム指示ビットとして再使用される。これらのビットは、ＬＴＥにおいて存在し、「ＰＱＩビット」と表される。このため、ＰＱＩビットは、ビーム指示ビットとして再使用される。ＬＴＥでは、ＤＣＩ中のＰＱＩ指示が、ＲＲＣ構成「ＰＱＩパラメータ」のセットのうちの（最高４つのうちの）１つを指し、ＰＱＩパラメータは、（ＰＤＳＣＨ送信がどのようにＲＥにマッピングされるかを指示し、すなわち、たとえば、ＰＤＳＣＨがその周りでレートマッチングされるＣＲＳおよびＺＰ  ＣＳＩ−ＲＳのための、ＲＳパターンを規定する）「ＰＤＳＣＨ−ＲＥマッピング」パラメータ、ならびにＰＤＳＣＨ送信のＤＭＲＳとＱＣＬであるとＵＥが仮定するべきである（ＣＳＩ−ＲＳリソースＩＤを用いて指示された）あるＣＳＩ−ＲＳリソースへのインジケータを備える。したがって、ＬＴＥでは、ＰＱＩは、ある周期的に送信されるＣＳＩ−ＲＳリソースとのＱＣＬを指示し、すなわち、そのＱＣＬは、４つの静的に構成されたＱＣＬ仮定間の切替えとして見られ得る。ここで開示される実施形態では、ＱＣＬ指示は、代わりに、（各ＣＳＩ−ＲＳリソースが、異なるＱＣＬ特性に関連付けられ得る）複数のＣＳＩ−ＲＳリソースを備える「リソースセッティング」を指し得る。したがって、ＵＥがどのＱＣＬ仮定を仮定するものとするか（たとえば、どのＲＸビームが適用されるのが有益であるか）を知るために、「リソースセッティング」は、たとえば、「リソースセッティング」内でＵＥによって選択された固有ＣＳＩ−ＲＳリソースを指示するＣＲＩを備える、前にＵＥによって実施された測定リポートと結合され得る。したがって、従来技術（ＬＴＥにおけるＰＱＩビット）とは対照的に、本発明は、動的に更新されたＱＣＬ仮定間の切替えを実装する。
【００５３】
ＰＤＳＣＨをスケジュールするとき、ＤＣＩは、オブジェクトを指すフィールドを含んでおり、したがって、ＵＥは、指示されたオブジェクトに従って、（ＰＤＣＣＨ／ＰＤＳＣＨについての）受信または送信（ＰＵＣＣＨ／ＰＵＳＣＨ）フィルタ処理を適用することができる。代替的に、ＰＤＣＣＨ、ＰＤＳＣＨ、ＰＵＣＣＨ、および／またはＰＵＳＣＨは、たとえば、上位レイヤ構成によって、オブジェクトに接続され得る。ＤＣＩ指示および上位レイヤ接続が、異なるチャネルについて独立して使用され得る。たとえば、ＰＤＣＣＨは、（ＲＲＣなどの）より遅い、上位レイヤ構成によって１つのオブジェクトに接続され得、ＰＤＳＣＨは、ＤＣＩによって、動的に、より速く、ＰＤＣＣＨ受信のために使用されるオブジェクトとは異なり得るオブジェクトに構成される。
【００５４】
ロバストネスを可能にするために、異なるＰＤＣＣＨ候補が異なるオブジェクトに関連付けられ得る（すなわち、異なる送信ビームが異なるＰＤＣＣＨ候補について使用され得る）。異なるＰＤＣＣＨ候補は、ＬＴＥの場合のようにＰＤＣＣＨ探索空間によって与えられるか、または異なる候補は異なるスロット中にあり得る。１つのそのような実施形態では、ＵＥは、異なるＰＤＣＣＨ探索空間中でまたは異なる制御リソースセット（ＣＯＲＥＳＥＴ：Ｃｏｎｔｒｏｌ  Ｒｅｓｏｕｒｃｅ  Ｓｅｔ）中で複数のＰＤＣＣＨ候補を探索するようにＲＲＣ構成され、各ＰＤＤＣＨ候補は、別個に維持されたＢＰＬに対応する別個のリソースセッティングに関連付けられる。いくつかのそのような実施形態では、ＵＥは、いくつかのスロットにおいてあるＰＤＣＣＨ候補のみを探索するように構成される。
【００５５】
一実施形態では、所与のオブジェクトのためにＵＥにおいて使用および記憶するためのＲＸおよび／またはＴＸ構成は、そのオブジェクト中のＣＳＩ−ＲＳリソースのうちの１つに対して行われた最新の測定を参照する。代替的に、ｇＮＢは、ＵＥに、リポートをスケジュールするＤＣＩメッセージ中で、それが測定およびリポートを実施するとき、所与のオブジェクトについてＲＸおよび／またはＴＸ構成を更新すべきか否かを指示することができる。
【００５６】
別の実施形態では、所与のオブジェクトのためにＵＥにおいて使用および記憶するためのＲＸおよび／またはＴＸ構成は、測定がそのオブジェクトに基づいた、ＵＥからネットワークに送信された最新のＣＳＩリポートを参照する。リポートが複数のＣＳＩ−ＲＳリソースインジケータ（ＣＲＩ）を含んでいる場合、ＴＸおよび／またはＲＸ構成は、特定のリソース、一例では、そのオブジェクトの複数の報告されたリソースのうちの（たとえば、最高ＳＩＮＲ、ＣＱＩまたはＲＳＲＰをもつ）最も好ましいリソースを参照する。リソースが構成されたが報告が行われなかった場合、ＵＥは、依然として、指示されたオブジェクトが、受信機または送信空間フィルタを調整するための参照であり得ると仮定し得る。より詳細には、ＵＥがいかなるリポートをも行わなかった場合でも、ＵＥは、そのオブジェクト中の最も好ましいＣＳＩ−ＲＳリソースについてＵＥ  ＲＸ受信構成を自律的に記憶し、ＤＣＩがオブジェクトを指示するとき、この構成を使用することができる。挙動は、（オブジェクトが「リソースセッティング／セット」である例の場合）以下の方針に沿ったルールとして要約され得、すなわち、スケジューリングＤＣＩがリソースセッティング／セットインジケータを含んでいる場合、ＵＥは、ＰＤＳＣＨ  ＤＭＲＳが、対応するＲＳセッティング／セットについての最新のＣＳＩリポートにおいて報告されたように、指示されたリソースセッティング／セット中の最も好ましいＣＳＩ−ＲＳリソースと空間的にＱＣＬであると仮定し得る。
【００５７】
ルールは、たとえば、規格化されたネットワーク仕様によって事前同意され得る。
【００５８】
代替的に、オブジェクトが「ＣＳＩ報告セッティング」である例の場合、ルールは以下のように表され得、すなわち、スケジューリングＤＣＩがＣＳＩ報告セッティングインジケータを含んでいる場合、ＵＥは、ＰＤＳＣＨ  ＤＭＲＳが、最新のＣＳＩリポートにおいて報告されたように、指示されたＣＳＩ報告セッティングにリンクされたリソースセッティング中の最も好ましいＣＳＩ−ＲＳリソースと空間的にＱＣＬであると仮定し得る。
【００５９】
別の実施形態では、ＵＥは、各々、指示されたＲＳセッティング／セット中のリソースのうちの１つに関連付けられた、複数のＣＳＩ−ＲＳリソースインジケータ（ＣＲＩ）を報告する。さらに、ＵＥは、複数のリソースの各々に関連付けられたＴＸおよび／またはＲＸ構成を記憶する。リソースセッティング／セットへの参照の形態のスケジューリングＤＣＩ中のビーム指示を受信するとき、ＵＥは、リソースセッティング／セットに関連付けられたすべてのＴＸおよび／またはＲＸ構成を適用することになる。この場合、仕様ルールは、次のように表され得、すなわち、スケジューリングＤＣＩがリソースセッティング／セッティングインジケータを含んでいる場合、ＵＥは、１つまたは複数のＰＤＳＣＨに関連付けられた１つまたは複数のＤＭＲＳポートが、対応するＲＳセッティング／セットについての最新のＣＳＩリポートにおいて報告されたように、指示されたリソースセッティング／セット中の複数の選択されたＣＳＩ−ＲＳリソースと空間的にＱＣＬであると仮定し得る。
【００６０】
以下の実施形態では、ＵＥは、いくつかのリソースセッティングに対して測定を実施し、ＣＳＩを報告することによって、いくつかのＢＰＬを維持し得る。ＵＥは、高ランクＰＤＳＣＨ送信を用いてＤＣＩ中でスケジュールされ、ここで、対応するＤＭＲＳポートが異なるＤＭＲＳポートグループに属する。各ＤＭＲＳポートグループは、別個のＱＣＬ仮定に関連付けられ得、異なるビーム上で送信され得る。したがって、各ＤＭＲＳポートグループについて別個のビーム指示が与えられ、別個のＢＰＬに対応する別個のリソースセッティングを指示する。
【００６１】
また他の実施形態では、ＵＥは、ＣＳＩリポートにおいて複数のＣＲＩを報告し、リソースセッティング内のＣＳＩ−ＲＳリソースの数を指示する。各ＣＲＩとともに、「ビームグループインジケータ」（ＢＧＩ）も報告される。ＢＧＩは、異なる報告されたＢＧＩをもつＣＲＩに対応するリソースが同時に受信され得るという点で、仮想高ランク送信においてどのＣＳＩ−ＲＳリソースがＵＥにおいて同時に受信され得るかを指示し得る。
【００６２】
１つのそのような実施形態では、ＵＥは、高ランクＰＤＳＣＨ送信をスケジュールする単一のＰＤＣＣＨを受信し、ここで、複数のＤＭＲＳポートグループが使用される。ビーム指示は、２つの部分において提供される。第１に、リソースセッティングが指示され、ＰＤＳＣＨ送信全体のためのＱＣＬ仮定を指示する。第２に、各ＤＭＲＳポートグループについて、ＢＧＩが指示される。この指示に基づいて、ＵＥは、最新の報告されたＣＲＩをもつ各ＤＭＲＳポートグループを指示されたＢＧＩに関連付ける。代替的に、ビーム指示は、単一のステップにおいて提供される。各ＤＭＲＳポートグループについて、リソースセッティングおよびＢＧＩが指示される。
【００６３】
別のそのような実施形態では、ＵＥは、同時に複数のＰＤＣＣＨを受信し、ここで、各ＰＤＣＣＨは、別個のＰＤＳＣＨをスケジュールし、ここで、ＰＤＳＣＨは、ＵＥにおいて同時に受信され、高ランク送信を生じる。この場合、リソースセッティングとＢＧＩの両方が、各ＰＤＣＣＨにおいて指示され、スケジュールされたＰＤＳＣＨのすべてのレイヤに適用可能なビーム指示を生じ得る。
【００６４】
次に図４を参照すると、図４は、ＵＥ１０２によって実施されるプロセス４００を示すフローチャートである。プロセス４００は、ステップｓ４０２において開始し得、ＵＥ１０２は、ＵＥ１０２のための第１のスケジュールされたダウンリンク送信に関する第１のスケジューリングメッセージを受信し、第１のスケジューリングメッセージは、ＵＥ１０２において構成されたオブジェクト（たとえば、オブジェクト識別子）を指すポインタ情報を備える。いくつかの実施形態では、構成されたオブジェクトは、無線リソース制御（ＲＲＣ）構成オブジェクトである。いくつかの実施形態では、ＲＲＣ構成オブジェクトは、参照信号（ＲＳ）測定オブジェクト（たとえば、リソースセッティング、ＣＳＩ−ＲＳリソースセット、およびＣＳＩリポートセッティング）である。そのような実施形態では、オブジェクトは、複数の参照信号（ＲＳ）（たとえば、同じスロット（ビーム掃引）中の複数のＣＳＩ−ＲＳリソースまたは複数のＯＦＤＭシンボル中のＣＳＩ−ＲＳ）を含んでいることがある。いくつかの実施形態では、ＵＥ１０２は、オブジェクト中の複数の参照信号のうちの好ましい参照信号をサービングノードに報告するように構成される。
【００６５】
ステップｓ４０２において第１のスケジューリングメッセージを受信することの結果として、ＵＥ１０２は、第１のスケジューリングメッセージからポインタ情報を取得し（ステップｓ４０４）、ＵＥ１０２は、取得されたポインタ情報に現在関連付けられている好ましい受信構成を決定し（たとえば、ＵＥ１０２は、ポインタ情報が指すオブジェクトに関連付けられる好ましいアナログＲＸビームを決定し）（ステップｓ４０６）、ＵＥ１０２は、第１のスケジュールされたダウンリンク送信を受信するために、決定された好ましい受信構成を使用する（ステップｓ４０８）。
【００６６】
いくつかの実施形態では、第１のスケジューリングメッセージはダウンリンク制御情報（ＤＣＩ）である。そのような実施形態では、ポインタ情報は、ＤＣＩのビットのセットからなり得、ビットのセットは、少なくとも、ＵＥ１０２が第１のスケジュールされたダウンリンク送信を受信するときに仮定するべきである空間擬似コロケーション（ＱＣＬ）仮定を指示する。
【００６７】
図５は、ＵＥ１０２によって実施され得る追加のステップを示すフローチャートである。図５に示されているように、ＵＥ１０２が第１のスケジューリングメッセージを受信するより前に、ＵＥ１０２は、第１の参照信号（ＲＳ）測定オブジェクトと第２のＲＳ測定オブジェクトとを構成するための構成メッセージを受信する（ステップｓ５０２）。
【００６８】
ステップｓ５０４において、構成メッセージを受信した後におよび第１のスケジューリングメッセージを受信するより前に、ＵＥ１０２は、第１の好ましい受信構成（たとえば、第１の好ましいＲＸビーム）を決定するために第１のＲＳ測定オブジェクトを使用する。ステップｓ５０６において、ＵＥ１０２は、第１の好ましい受信構成を第１のＲＳ測定オブジェクトに関連付ける（たとえば、ＵＥは、第１の好ましい受信構成を、第１のＲＳ測定オブジェクトを指すポインタ情報に関連付ける）。たとえば、ステップｓ５０６において、ＵＥ１０２は、データベースに、第１の好ましい受信構成または第１の好ましい受信構成へのポインタを含んでいる第１のフィールドと、第１のＲＳ測定オブジェクトを指すポインタ情報を含んでいる第２のフィールドとを備える、第１のレコードを記憶する。
【００６９】
ステップｓ５０８において、構成メッセージを受信した後におよび第１のスケジューリングメッセージを受信するより前に、ＵＥ１０２は、第２の好ましい受信構成を決定するために第２のＲＳ測定オブジェクトを使用する。ステップｓ５１０において、ＵＥ１０２は、第２の好ましい受信構成を第２のＲＳ測定オブジェクトに関連付ける（たとえば、ＵＥは、第２の好ましい受信構成を、第２のＲＳ測定オブジェクトを指すポインタ情報に関連付ける）。たとえば、ステップｓ５１０において、ＵＥ１０２は、データベースに、第２の好ましい受信構成または第２の好ましい受信構成へのポインタを含んでいる第１のフィールドと、第２のＲＳ測定オブジェクトを指すポインタ情報を含んでいる第２のフィールドとを備える、第２のレコードを記憶する。
【００７０】
本明細書で説明されるように、ＵＥ１０２は、第１のスケジューリングメッセージ中に含まれるポインタ情報が第１のＲＳ測定オブジェクトを指す場合、ＵＥ１０２が、スケジュールされたダウンリンク送信を受信するために、第１のＲＳ測定オブジェクトに関連付けられた好ましい受信構成を使用するように、および第１のスケジューリングメッセージ中に含まれるポインタ情報が第２のＲＳ測定オブジェクトを指す場合、ＵＥ１０２が、スケジュールされたダウンリンク送信を受信するために、第１のＲＳ測定オブジェクトに関連付けられた好ましい受信構成を使用するように、構成される。したがって、スケジューリングメッセージ中に含まれるポインタ情報を取得した後に、ＵＥ１０２は、スケジューリングメッセージから取得されたポインタ情報に適合するポインタ情報を含んでいるレコードをデータベースから検索するためにそのポインタ情報を使用し、次いで、スケジュールされた送信を受信するために、検索されたデータベースレコードにおいて指示された受信構成を使用し得る。
【００７１】
図５に示されているように、ＵＥ１０２は、各構成されたＲＳ測定オブジェクトについて新しい好ましい受信構成を継続的に決定し、新しい好ましい受信構成を対応するオブジェクトに関連付け得る。
【００７２】
たとえば、第１の好ましい受信構成を決定するために第１のＲＳ測定オブジェクトを使用した後に、ＵＥ１０２は、第３の好ましい受信構成を決定するために第１のＲＳ測定オブジェクトを使用し、第３の好ましい受信構成を決定した後に、ＵＥ１０２は、第３の好ましい受信構成を第１のＲＳ測定オブジェクトに関連付け、第１のＲＳ測定オブジェクトとの第１の好ましい受信構成の関連付けを解除する。たとえば、ＵＥ１０２は、レコードの第１のフィールドに記憶された受信構成情報を、第３の好ましい受信構成を指す受信構成情報と交換することによって、第１の好ましい受信構成が第１のＲＳ測定オブジェクトに関連付けられた、データベースレコードを修正し得る。
【００７３】
図５にさらに示されているように、ＵＥ１０２は、ＵＥ１０２のための第２のスケジュールされたダウンリンク送信に関する第２のスケジューリングメッセージなど、追加のスケジューリングメッセージを受信し得、第２のスケジューリングメッセージは、ＲＳ測定オブジェクトを指すポインタ情報を備える。ポインタ情報が第１のＲＳ測定オブジェクトを指すと仮定すると、第２のスケジューリングメッセージを受信したことに応答して、ＵＥ１０２は、好ましい受信構成が第１のＲＳ測定オブジェクトに現在関連付けられていると決定し、それにより、第３の好ましい受信構成が第１のＲＳ測定オブジェクトについての現在好ましい受信構成であると決定する。したがって、ＵＥ１０２は、第２のスケジュールされたダウンリンク送信を受信するために、第３の好ましい受信構成を使用する。
【００７４】
図６は、いくつかの実施形態による、ＵＥ１０２のブロック図である。図６に示されているように、ＵＥは、１つまたは複数のプロセッサ６５５（たとえば、汎用マイクロプロセッサ、および／または、特定用途向け集積回路（ＡＳＩＣ）、フィールドプログラマブルゲートアレイ（ＦＰＧＡ）など、１つまたは複数の他のプロセッサ）を含み得るデータ処理システム（ＤＰＳ）６０２と、無線アクセスネットワーク（ＲＡＮ）ノード（たとえば、ＴＲＰ１０４）と無線通信する際に使用するためのアンテナ６２２に結合された無線送信機６０５および無線受信機６０６と、１つまたは複数の不揮発性記憶デバイスおよび／または１つまたは複数の揮発性記憶デバイス（たとえば、ランダムアクセスメモリ（ＲＡＭ））を含み得るローカル記憶ユニット（別名「データ記憶システム」）６０８とを備え得る。ＵＥが汎用マイクロプロセッサを含む実施形態では、コンピュータプログラム製品（ＣＰＰ）６４１が提供され得る。ＣＰＰ６４１はコンピュータ可読媒体（ＣＲＭ）６４２を含み、ＣＲＭ６４２は、コンピュータ可読命令（ＣＲＩ）６４４を含むコンピュータプログラム（ＣＰ）６４３を記憶する。ＣＲＭ６４２は、限定はしないが、磁気媒体（たとえば、ハードディスク）、光媒体（たとえば、ＤＶＤ）、メモリデバイス（たとえば、ランダムアクセスメモリ）など、非一時的コンピュータ可読媒体であり得る。いくつかの実施形態では、コンピュータプログラム６４３のＣＲＩ６４４は、データ処理システム６０２によって実行されたとき、ＣＲＩが、ＵＥに、上記で説明されたステップ（たとえば、フローチャートを参照しながら上記で説明されたステップ）を実施させるように構成される。他の実施形態では、ＵＥは、コードの必要なしに本明細書で説明されるステップを実施するように構成され得る。すなわち、たとえば、データ処理システム６０２は、単に１つまたは複数のＡＳＩＣからなり得る。したがって、本明細書で説明される実施形態の特徴は、ハードウェアおよび／またはソフトウェアで実装され得る。
【００７５】
図７は、いくつかの実施形態による、ＵＥ１０２の機能モジュールを示す図である。図７に示されているように、ＵＥ１０２は、ＵＥのための第１のスケジュールされたダウンリンク送信に関する第１のスケジューリングメッセージを受信するための第１の受信モジュール７０２であって、第１のスケジューリングメッセージが、ＵＥにおいて構成されたオブジェクトを指すポインタ情報を備える、第１の受信モジュール７０２と、第１のスケジューリングメッセージからポインタ情報を取得するように構成された取得モジュール７０４と、取得されたポインタ情報に現在関連付けられている好ましい受信構成を決定するように構成された決定モジュール７０６と、第１のスケジュールされたダウンリンク送信を受信するために、決定された好ましい受信構成を使用するように構成された第２の受信モジュール７０８とを含む。
【００７６】
図８は、いくつかの実施形態による、プロセス８００を示すフローチャートである。プロセス８００は、ステップ８０２において開始し得、ネットワーク３２１０（たとえば、ＴＲＰ１０４、ＴＲＰと１つまたは複数の他のネットワークノードとの組合せ）が、複数のＲＳ測定オブジェクトを用いてＵＥ１０２を構成し、複数のＲＳ測定オブジェクトの各々は、少なくとも１つの測定リソース（たとえば、ＣＳＩ−ＲＳリソース）を含んでいる。
【００７７】
ステップ８０４において、ＮＷは、構成されたＲＳ測定オブジェクトの各々についての測定リソースを送信する。
【００７８】
ステップ８０６において、ＮＷは、各ＲＳ測定オブジェクトについて、ＲＳ測定オブジェクト内の各測定リソースを送信するために使用される送信構成（たとえば、ＴＸビーム）を記憶する。
【００７９】
ステップ８０８において、ＲＳ測定オブジェクトの各々について、ＮＷは、ＵＥから、各ＲＳ測定オブジェクト内の好ましい測定リソースのインジケータを備える測定リポートを受信する（たとえば、ＵＥは、各ＲＳ測定オブジェクトが複数の測定リソースを含んでいる場合、ＲＳ測定オブジェクト内の好ましいビームを指摘する）。
【００８０】
ステップ８１０において、ＮＷは、ＵＥに、ＵＥのための第１のスケジュールされたダウンリンク送信に関する第１のスケジューリングメッセージを送信し、第１のスケジューリングメッセージは、ＵＥにおいて構成されたＲＳ測定オブジェクトのうちの１つを指すポインタ情報を備える（たとえば、ＮＷは、データを受信するために使用するためのＲＳ測定オブジェクトを指摘する）。
【００８１】
ステップ８１２において、第１のスケジューリングメッセージを送信した後に、ＮＷは、ポインタ情報が指すＲＳ測定オブジェクト内の好ましい測定リソースに対応する送信構成を使用して、第１のスケジュールされたダウンリンク送信を送信する（たとえば、ＮＷは、ＵＥによって報告されたように、ＲＳ測定オブジェクト内の好ましいビームに対応するＴＸビームを使用する）。
【００８２】
図９は、いくつかの実施形態による、ＴＲＰ１０４のブロック図である。図９に示されているように、ＴＲＰ１０４は、１つまたは複数のプロセッサ（Ｐ）９５５（たとえば、汎用マイクロプロセッサ、および／または、特定用途向け集積回路（ＡＳＩＣ）、フィールドプログラマブルゲートアレイ（ＦＰＧＡ）など、１つまたは複数の他のプロセッサ）を含み得るデータ処理装置（ＤＰＡ）９０２と、ネットワークインターフェース９４８であって、ネットワークノードが、ネットワークインターフェース９４８が接続されるネットワーク１１０（たとえば、インターネットプロトコル（ＩＰ）ネットワーク）に接続された他のノードにデータを送信し、他のノードからデータを受信することを可能にするための送信機（Ｔｘ）９４５および受信機（Ｒｘ）９４７を備える、ネットワークインターフェース９４８と、ＵＥとの無線通信のためのアンテナシステム９０４に結合された）回路要素９０３（たとえば、無線トランシーバ回路要素）と、１つまたは複数の不揮発性記憶デバイスおよび／または１つまたは複数の揮発性記憶デバイス（たとえば、ランダムアクセスメモリ（ＲＡＭ））を含み得るローカル記憶ユニット（別名「データ記憶システム」）９０８とを備え得る。ＤＰＡ９０２が汎用マイクロプロセッサを含む実施形態では、コンピュータプログラム製品（ＣＰＰ）９４１が提供され得る。ＣＰＰ９４１はコンピュータ可読媒体（ＣＲＭ）９４２を含み、ＣＲＭ９４２は、コンピュータ可読命令（ＣＲＩ）９４４を含むコンピュータプログラム（ＣＰ）９４３を記憶する。ＣＲＭ９４２は、限定はしないが、磁気媒体（たとえば、ハードディスク）、光媒体、メモリデバイス（たとえば、ランダムアクセスメモリ）など、非一時的コンピュータ可読媒体であり得る。いくつかの実施形態では、コンピュータプログラム９４３のＣＲＩ９４４は、データ処理装置９０２によって実行されたとき、ＣＲＩが、ＴＲＰ１０４に、本明細書で説明されるステップ（たとえば、フローチャートおよび／または流れ図を参照しながら本明細書で説明されるステップ）を実施させるように構成される。他の実施形態では、ＴＲＰ１０４は、コードの必要なしに本明細書で説明されるステップを実施するように構成され得る。すなわち、たとえば、ＤＰＡ９０２は、単に１つまたは複数のＡＳＩＣからなり得る。したがって、本明細書で説明される実施形態の特徴は、ハードウェアおよび／またはソフトウェアで実装され得る。
【００８３】
図１０は、いくつかの実施形態による、ＴＲＰ１０４の機能モジュールを示す図である。図１０に示されているように、ＴＲＰ１０４は、複数のＲＳ測定オブジェクトを用いてＵＥを構成するための構成モジュール１００２であって、複数のＲＳ測定オブジェクトの各々が、少なくとも１つの測定リソース（たとえば、ＣＳＩ−ＲＳリソース）を含んでいる、構成モジュール１００２を含む。ＴＲＰ１０４は、構成されたＲＳ測定オブジェクトの各々についての測定リソースを送信するための第１の送信（ＴＸ）モジュール１００４をも含む。ＴＲＰ１０４は、各ＲＳ測定オブジェクトについて、ＲＳ測定オブジェクト内の各測定リソースを送信するために使用される送信構成（たとえば、ＴＸビーム）を記憶するための記憶モジュール１００６をさらに含む。ＴＲＰ１０４は、ＲＳ測定オブジェクトの各々について、ＵＥから、各ＲＳ測定オブジェクト内の好ましい測定リソースのインジケータを備える測定リポートを受信する（たとえば、ＵＥは、各ＲＳ測定オブジェクトが複数の測定リソースを含んでいる場合、ＲＳ測定オブジェクト内の好ましいビームを指摘する）ための受信モジュール１００８をも含む。ＴＲＰ１０４は、ＵＥに、ＵＥのための第１のスケジュールされたダウンリンク送信に関する第１のスケジューリングメッセージを送信するための第２の送信モジュール１０１０であって、第１のスケジューリングメッセージが、ＵＥにおいて構成されたＲＳ測定オブジェクトのうちの１つを指すポインタ情報を備える（たとえば、ＮＷは、データを受信するために使用するためのＲＳ測定オブジェクトを指摘する）、第２の送信モジュール１０１０と、第１のスケジューリングメッセージが送信された後に、ポインタ情報が指すＲＳ測定オブジェクト内の好ましい測定リソースに対応する送信構成を使用して、第１のスケジュールされたダウンリンク送信を送信する（たとえば、ＮＷは、ＵＥによって報告されたように、ＲＳ測定オブジェクト内の好ましいビームに対応するＴＸビームを使用する）ための、第３の送信モジュール１０１２とをも含む。
【００８４】
図１１を参照すると、一実施形態によれば、通信システムが、無線アクセスネットワークなどのアクセスネットワーク３２１１とコアネットワーク３２１４とを備える、３ＧＰＰタイプセルラーネットワークなどの電気通信ネットワーク３２１０を含む。アクセスネットワーク３２１１は、ＮＢ、ｅＮＢ、ｇＮＢまたは他のタイプの無線アクセスポイントなど、複数のＴＲＰ３２１２ａ、３２１２ｂ、３２１２ｃを備え、各々、対応するカバレッジエリア３２１３ａ、３２１３ｂ、３２１３ｃを規定する。各ＴＲＰ３２１２ａ、３２１２ｂ、３２１２ｃは、有線接続または無線接続３２１５を介してコアネットワーク３２１４に接続可能である。カバレッジエリア３２１３ｃ中に位置する第１のユーザ機器（ＵＥ）３２９１は、対応するＴＲＰ３２１２ｃに無線で接続するか、または対応するＴＲＰ３２１２ｃによってページングされるように構成される。カバレッジエリア３２１３ａ中の第２のＵＥ３２９２は、対応するＴＲＰ３２１２ａに無線で接続可能である。この例では複数のＵＥ３２９１、３２９２が示されているが、開示される実施形態は、唯一のＵＥがカバレッジエリア中にある状況、または、唯一のＵＥが、対応するＴＲＰ３２１２に接続している状況に、等しく適用可能である。
【００８５】
電気通信ネットワーク３２１０は、それ自体、ホストコンピュータ３２３０に接続され、ホストコンピュータ３２３０は、スタンドアロンサーバ、クラウド実装されたサーバ、分散サーバのハードウェアおよび／またはソフトウェアで、あるいはサーバファーム中の処理リソースとして具現され得る。ホストコンピュータ３２３０は、サービスプロバイダの所有または制御下にあり得るか、あるいはサービスプロバイダによってまたはサービスプロバイダの代わりに動作され得る。電気通信ネットワーク３２１０とホストコンピュータ３２３０との間の接続３２２１、３２２２が、コアネットワーク３２１４からホストコンピュータ３２３０まで直接延び得るか、または随意の中間ネットワーク３２２０を介して進み得る。中間ネットワーク３２２０は、公衆ネットワーク、プライベートネットワークまたはホストされたネットワークのうちの１つ、あるいはそれらのうちの２つ以上の組合せであり得、中間ネットワーク３２２０は、もしあれば、バックボーンネットワークまたはインターネットであり得、特に、中間ネットワーク３２２０は、２つまたはそれ以上のサブネットワーク（図示せず）を備え得る。
【００８６】
図１１の通信システムは、全体として、接続されたＵＥ３２９１、３２９２のうちの１つとホストコンピュータ３２３０との間のコネクティビティを可能にする。コネクティビティは、オーバーザトップ（ＯＴＴ：ｏｖｅｒ−ｔｈｅ−ｔｏｐ）接続３２５０として説明され得る。ホストコンピュータ３２３０および接続されたＵＥ３２９１、３２９２は、アクセスネットワーク３２１１、コアネットワーク３２１４、任意の中間ネットワーク３２２０および考えられるさらなるインフラストラクチャ（図示せず）を媒介として使用して、ＯＴＴ接続３２５０を介して、データおよび／またはシグナリングを通信するように構成される。ＯＴＴ接続３２５０は、ＯＴＴ接続３２５０が通過する、参加する通信デバイスが、アップリンクおよびダウンリンク通信のルーティングを認識していないという点で、透過的であり得る。たとえば、ＴＲＰ３２１２は、接続されたＵＥ３２９１にフォワーディングされる（たとえば、ハンドオーバされる）べきホストコンピュータ３２３０から発信したデータをもつ着信ダウンリンク通信の過去のルーティングについて、通知されないことがあるかまたは通知される必要がない。同様に、ＴＲＰ３２１２は、ＵＥ３２９１からホストコンピュータ３２３０に向けて発信した発信アップリンク通信の将来のルーティングを認識している必要がない。
【００８７】
次に、一実施形態による、前の段落において説明されたＵＥ、ＴＲＰおよびホストコンピュータの例示的な実装形態が、図１２を参照しながら説明される。通信システム３３００では、ホストコンピュータ３３１０は、通信システム３３００の異なる通信デバイスのインターフェースとの有線接続または無線接続をセットアップおよび維持するように構成された通信インターフェース３３１６を含む、ハードウェア３３１５を備える。ホストコンピュータ３３１０は、記憶および／または処理能力を有し得る、処理回路要素３３１８をさらに備える。特に、処理回路要素３３１８は、命令を実行するように適応された、１つまたは複数のプログラマブルプロセッサ、特定用途向け集積回路、フィールドプログラマブルゲートアレイまたはこれらの組合せ（図示せず）を備え得る。ホストコンピュータ３３１０はソフトウェア３３１１をさらに備え、ソフトウェア３３１１は、ホストコンピュータ３３１０に記憶されるかまたはホストコンピュータ３３１０によってアクセス可能であり、処理回路要素３３１８によって実行可能である。ソフトウェア３３１１はホストアプリケーション３３１２を含む。ホストアプリケーション３３１２は、ＵＥ３３３０およびホストコンピュータ３３１０において終端するＯＴＴ接続３３５０を介して接続するＵＥ３３３０など、リモートユーザにサービスを与えるように動作可能であり得る。リモートユーザにサービスを与える際に、ホストアプリケーション３３１２は、ＯＴＴ接続３３５０を使用して送信されるユーザデータを与え得る。
【００８８】
通信システム３３００はＴＲＰ３３２０をさらに含み、ＴＲＰ３３２０は、電気通信システム中に設けられ、ＴＲＰ３３２０がホストコンピュータ３３１０およびＵＥ３３３０と通信することを可能するハードウェア３３２５を備える。ハードウェア３３２５は、通信システム３３００の異なる通信デバイスのインターフェースとの有線接続または無線接続をセットアップおよび維持するための通信インターフェース３３２６、ならびにＴＲＰ３３２０によってサーブされるカバレッジエリア（図１２に図示せず）中に位置するＵＥ３３３０との少なくとも無線接続３３７０をセットアップおよび維持するための無線インターフェース３３２７を含み得る。通信インターフェース３３２６は、ホストコンピュータ３３１０への接続３３６０を容易にするように構成され得る。接続３３６０は直接的であり得るか、あるいは、接続３３６０は、電気通信システムのコアネットワーク（図１２に図示せず）を、および／または電気通信システムの外部の１つまたは複数の中間ネットワークを通過し得る。図示の実施形態では、ＴＲＰ３３２０のハードウェア３３２５は、命令を実行するように適応された、１つまたは複数のプログラマブルプロセッサ、特定用途向け集積回路、フィールドプログラマブルゲートアレイまたはこれらの組合せ（図示せず）を備え得る、処理回路要素３３２８をさらに含む。ＴＲＰ３３２０は、内部に記憶された、または外部接続を介してアクセス可能なソフトウェア３３２１をさらに有する。
【００８９】
通信システム３３００は、すでに言及されたＵＥ３３３０をさらに含む。ハードウェア３３３５は、ＵＥ３３３０が現在位置するカバレッジエリアをサーブするＴＲＰとの無線接続３３７０をセットアップおよび維持するように構成された無線インターフェース３３３７を含み得る。ＵＥ３３３０のハードウェア３３３５は、命令を実行するように適応された、１つまたは複数のプログラマブルプロセッサ、特定用途向け集積回路、フィールドプログラマブルゲートアレイまたはこれらの組合せ（図示せず）を備え得る、処理回路要素３３３８をさらに含む。ＵＥ３３３０はソフトウェア３３３１をさらに備え、ソフトウェア３３３１は、ＵＥ３３３０に記憶されるかまたはＵＥ３３３０によってアクセス可能であり、処理回路要素３３３８によって実行可能である。ソフトウェア３３３１はクライアントアプリケーション３３３２を含む。クライアントアプリケーション３３３２は、ホストコンピュータ３３１０のサポートを伴って、ＵＥ３３３０を介して人間のまたは人間でないユーザにサービスを与えるように動作可能であり得る。ホストコンピュータ３３１０では、実行しているホストアプリケーション３３１２は、ＵＥ３３３０およびホストコンピュータ３３１０において終端するＯＴＴ接続３３５０を介して、実行しているクライアントアプリケーション３３３２と通信し得る。ユーザにサービスを与える際に、クライアントアプリケーション３３３２は、ホストアプリケーション３３１２から要求データを受信し、要求データに応答してユーザデータを与え得る。ＯＴＴ接続３３５０は、要求データとユーザデータの両方を転送し得る。クライアントアプリケーション３３３２は、クライアントアプリケーション３３３２が与えるユーザデータを生成するためにユーザと対話し得る。
【００９０】
図１２に示されているホストコンピュータ３３１０、ＴＲＰ３３２０およびＵＥ３３３０は、それぞれ、図１１のホストコンピュータ３２３０、ＴＲＰ３２１２ａ、３２１２ｂ、３２１２ｃのうちの１つ、およびＵＥ３２９１、３２９２のうちの１つと同等であり得ることに留意されたい。つまり、これらのエンティティの内部の働きは、図１２に示されているものであり得、別個に、周囲のネットワークトポロジーは、図１１のものであり得る。
【００９１】
図１２では、ＯＴＴ接続３３５０は、仲介デバイスおよびこれらのデバイスを介したメッセージの正確なルーティングへの明示的言及なしに、ＴＲＰ３３２０を介した、ホストコンピュータ３３１０とユーザ機器３３３０との間の通信を示すために抽象的に描かれている。ネットワークインフラストラクチャが、ルーティングを決定し得、ルーティングは、ＵＥ３３３０から、またはホストコンピュータ３３１０を動作させるサービスプロバイダから、あるいはその両方から隠れるように構成され得る。ＯＴＴ接続３３５０がアクティブである間、ネットワークインフラストラクチャは、さらに、ネットワークインフラストラクチャが、（たとえば、ネットワークの負荷分散考慮事項または再構成に基づいて）ルーティングを動的に変更する決定を行い得る。
【００９２】
ＵＥ３３３０とＴＲＰ３３２０との間の無線接続３３７０は、本開示全体にわたって説明される実施形態の教示に従う。様々な実施形態のうちの１つまたは複数は、無線接続３３７０が最後のセグメントを形成するＯＴＴ接続３３５０を使用してＵＥ３３３０に与えられるＯＴＴサービスの性能を改善する。より正確には、上記で見られるように、これらの実施形態の教示は、ＣＳＩ−ＲＳリソースごとのビーム追跡プロセスＩＤの明示的指示の必要を改善し得、ビーム追跡プロセスフレームワークを確立する必要がなく、それにより、低減されたユーザ待ち時間および／またはより良い応答性などの利益を与える。
【００９３】
１つまたは複数の実施形態が改善する、データレート、レイテンシおよび他のファクタを監視する目的での、測定プロシージャが与えられ得る。測定結果の変動に応答して、ホストコンピュータ３３１０とＵＥ３３３０との間のＯＴＴ接続３３５０を再構成するための随意のネットワーク機能性がさらにあり得る。ＯＴＴ接続３３５０を再構成するための測定プロシージャおよび／またはネットワーク機能性は、ホストコンピュータ３３１０のソフトウェア３３１１で、またはＵＥ３３３０のソフトウェア３３３１で、あるいはその両方で実装され得る。実施形態では、ＯＴＴ接続３３５０が通過する通信デバイスにおいて、またはその通信デバイスに関連して、センサー（図示せず）が展開され得、センサーは、上記で例示された監視された量の値を供給すること、またはソフトウェア３３１１、３３３１が監視された量を算出または推定し得る他の物理量の値を供給することによって、測定プロシージャに参加し得る。ＯＴＴ接続３３５０の再構成は、メッセージフォーマット、再送信セッティング、好ましいルーティングなどを含み得、再構成は、ＴＲＰ３３２０に影響を及ぼす必要はなく、再構成は、ＴＲＰ３３２０に知られていないかまたは感知できないことがある。そのようなプロシージャおよび機能性は、当技術分野において知られ、実施され得る。いくつかの実施形態では、測定は、スループット、伝搬時間、レイテンシなどのホストコンピュータ３３１０の測定を容易にするプロプライエタリＵＥシグナリングを伴い得る。測定は、ソフトウェア３３１１、３３３１が、伝搬時間、エラーなどを監視しながら、ソフトウェア３３１１、３３３１が、ＯＴＴ接続３３５０を使用して、メッセージ、特に、空のまたは「ダミー」メッセージを送信させるという点で実装され得る。
【００９４】
図１３は、一実施形態による、通信システムにおいて実装される方法を示すフローチャートである。通信システムは、図１１および図１２を参照しながら説明されたものであり得る、ホストコンピュータ、ＴＲＰおよびＵＥを含む。本開示の簡単のために、図１３への図面参照のみがこのセクションに含まれる。本方法の第１のステップ３４１０において、ホストコンピュータはユーザデータを与える。第１のステップ３４１０の随意のサブステップ３４１１において、ホストコンピュータは、ホストアプリケーションを実行することによって、ユーザデータを与える。第２のステップ３４２０において、ホストコンピュータは、ＵＥにユーザデータを搬送する送信を始動する。随意の第３のステップ３４３０において、ＴＲＰは、本開示全体にわたって説明される実施形態の教示に従って、ホストコンピュータが始動した送信において搬送されたユーザデータをＵＥに送信する。随意の第４のステップ３４４０において、ＵＥは、ホストコンピュータによって実行されるホストアプリケーションに関連付けられたクライアントアプリケーションを実行する。
【００９５】
図１４は、一実施形態による、通信システムにおいて実装される方法を示すフローチャートである。通信システムは、図１１および図１２を参照しながら説明されたものであり得る、ホストコンピュータ、ＴＲＰおよびＵＥを含む。本開示の簡単のために、図１４への図面参照のみがこのセクションに含まれる。本方法の第１のステップ３５１０において、ホストコンピュータはユーザデータを与える。随意のサブステップ（図示せず）において、ホストコンピュータは、ホストアプリケーションを実行することによって、ユーザデータを与える。第２のステップ３５２０において、ホストコンピュータは、ＵＥにユーザデータを搬送する送信を始動する。送信は、本開示全体にわたって説明される実施形態の教示に従って、ＴＲＰを介して通り得る。随意の第３のステップ３５３０において、ＵＥは、送信において搬送されたユーザデータを受信する。
【００９６】
様々な実施形態が上記で説明されたが、それらの実施形態は、限定ではなく、例として提示されたにすぎないことを理解されたい。したがって、本開示の広さおよび範囲は、上記で説明された例示的な実施形態のいずれによっても限定されるべきでない。その上、本明細書で別段に指示されていない限り、またはコンテキストによって明確に否定されていない限り、上記で説明されたエレメントのそれらのすべての考えられる変形形態における任意の組合せが、本開示によって包含される。
【００９７】
さらに、上記で説明され、図面に示されたプロセスは、ステップのシーケンスとして示されたが、これは、説明のためにのみ行われた。したがって、いくつかのステップが追加され得、いくつかのステップが省略され得、ステップの順序が並べ替えられ得、いくつかのステップが並行して実施され得ることが企図される。
【００９８】
略語
【００９９】
ＴＲＰ−送信ポイント
【０１００】
ＵＥ−ユーザ機器
【０１０１】
ＴＸ−送信無線チェーン
【０１０２】
ＲＸ−受信機無線チェーン
【０１０３】
ＳＲＳ−サウンディング参照信号
【０１０４】
ＴＲＳ−追跡参照信号
【０１０５】
ＰＵＣＣＨ−物理アップリンク制御チャネル
【０１０６】
ＰＤＣＣＨ−物理ダウンリンク制御チャネル
【０１０７】
ＰＤＳＣＨ−物理ダウンリンク共有データチャネル
【０１０８】
ＰＵＳＣＨ−物理アップリンク共有データチャネル
【０１０９】
ＣＳＩ−ＲＳ−チャネル状態情報参照信号
【０１１０】
ＤＣＩ−ダウンリンク制御情報
【０１１１】
ＰＴＲＳ−位相追跡参照信号
【図１】
2020524934.tif 000003
【図２】
2020524934.tif 000004
【図３】
2020524934.tif 000005
【図４】
2020524934.tif 000006
【図５】
2020524934.tif 000007
【図６】
2020524934.tif 000008
【図７】
2020524934.tif 000009
【図８】
2020524934.tif 000010
【図９】
2020524934.tif 000011
【図１０】
2020524934.tif 000012
【図１１】
2020524934.tif 000013
【図１２】
2020524934.tif 000014
【図１３】
2020524934.tif 000015
【図１４】
2020524934.tif 000016
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）（１０２）によって実施される方法（４００）であって、
前記ＵＥが、前記ＵＥのための第１のスケジュールされたダウンリンク送信に関する第１のスケジューリングメッセージを受信すること（ｓ４０２）であって、前記第１のスケジューリングメッセージが、前記ＵＥにおいて構成されたオブジェクトを指すポインタ情報を備える、第１のスケジューリングメッセージを受信すること（ｓ４０２）と、
前記第１のスケジューリングメッセージを受信することの結果として、
前記ＵＥが、前記第１のスケジューリングメッセージから前記ポインタ情報を取得すること（ｓ４０４）と、
前記ＵＥが、前記取得されたポインタ情報に現在関連付けられている好ましい受信構成を決定すること（ｓ４０６）と、
前記ＵＥが、前記第１のスケジュールされたダウンリンク送信を受信するために、前記決定された好ましい受信構成を使用すること（ｓ４０８）と
を含み、
前記構成されたオブジェクトが、無線リソース制御（ＲＲＣ）構成オブジェクトであり、
前記ＲＲＣ構成オブジェクトが、参照信号（ＲＳ）測定オブジェクトであり、
前記オブジェクトが、複数の参照信号を含んでおり、前記好ましい受信構成がアナログ受信（ＲＸ）ビームであり、前記第１のスケジューリングメッセージがダウンリンク制御情報（ＤＣＩ）である、
方法（４００）。
【請求項２】
前記ＵＥが、前記オブジェクト中の前記複数の参照信号のうちの好ましい参照信号をサービングノードに報告するように構成された、請求項１に記載の方法。
【請求項３】
前記ポインタ情報が、前記ＤＣＩのビットのセットを備え、ビットの前記セットは、少なくとも、前記ＵＥが前記第１のスケジュールされたダウンリンク送信を受信するときに仮定するべきである空間擬似コロケーション（ＱＣＬ）仮定を指示する、請求項１または２に記載の方法。
【請求項４】
前記測定オブジェクトが、リソースセッティング、ＣＳＩ−ＲＳリソースセット、およびＣＳＩリポートセッティングのうちの１つである、請求項１から３のいずれか一項に記載の方法。
【請求項５】
前記第１のスケジューリングメッセージを受信するより前に、前記ＵＥが、第１のＲＳ測定オブジェクトと第２のＲＳ測定オブジェクトとを構成するための構成メッセージを受信することと、
前記構成メッセージを受信した後におよび前記第１のスケジューリングメッセージを受信するより前に、前記ＵＥが、第１の好ましい受信構成を決定するために前記第１のＲＳ測定オブジェクトを使用することと、
前記ＵＥが、前記第１の好ましい受信構成を前記第１のＲＳ測定オブジェクトに関連付けることと、
前記構成メッセージを受信した後におよび前記第１のスケジューリングメッセージを受信するより前に、前記ＵＥが、第２の好ましい受信構成を決定するために前記第２のＲＳ測定オブジェクトを使用することと、
前記ＵＥが、前記第２の好ましい受信構成を前記第２のＲＳ測定オブジェクトに関連付けることと
をさらに含み、それにより、前記ＵＥは、
前記第１のスケジューリングメッセージ中に含まれる前記ポインタ情報が、前記第１のＲＳ測定オブジェクトを指す場合、前記ＵＥが、前記スケジュールされたダウンリンク送信を受信するために、前記第１の好ましい受信構成を使用することと、
前記第１のスケジューリングメッセージ中に含まれる前記ポインタ情報が、前記第２のＲＳ測定オブジェクトを指す場合、前記ＵＥが、前記スケジュールされたダウンリンク送信を受信するために、前記第２の好ましい受信構成を使用することと
を行うように構成された、請求項１から４のいずれか一項に記載の方法。
【請求項６】
前記第１の好ましい受信構成を決定するために前記第１のＲＳ測定オブジェクトを使用した後に、前記ＵＥが、後のスロットにおいて、第３の好ましい受信構成を決定するために前記第１のＲＳ測定オブジェクトを使用することと、
前記第３の好ましい受信構成を決定した後に、前記ＵＥが、前記第３の好ましい受信構成を前記第１のＲＳ測定オブジェクトに関連付けること、および前記第１のＲＳ測定オブジェクトとの前記第１の好ましい受信構成の関連付けを解除することと、
前記ＵＥが、前記ＵＥのための第２のスケジュールされたダウンリンク送信に関する第２のスケジューリングメッセージを受信することであって、前記第２のスケジューリングメッセージが、前記第１のＲＳ測定オブジェクトを指すポインタ情報を備える、第２のスケジューリングメッセージを受信することと、
前記第２のスケジューリングメッセージを受信したことに応答して、前記ＵＥが、前記第３の好ましい受信構成が前記第１のＲＳ測定オブジェクトに現在関連付けられていると決定することと、
前記ＵＥが、前記第３の好ましい受信構成が前記第１のＲＳ測定オブジェクトに現在関連付けられていると決定することの結果として、前記ＵＥが、前記第２のスケジュールされたダウンリンク送信を受信するために、前記第３の好ましい受信構成を使用することと
をさらに含む、請求項５に記載の方法。
【請求項７】
ユーザ機器（ＵＥ）（１０２）であって、
前記ＵＥのための第１のスケジュールされたダウンリンク送信に関する第１のスケジューリングメッセージを受信することであって、前記第１のスケジューリングメッセージが、前記ＵＥにおいて構成されたオブジェクトを指すポインタ情報を備える、第１のスケジューリングメッセージを受信することと、
前記第１のスケジューリングメッセージを受信することの結果として、
前記第１のスケジューリングメッセージから前記ポインタ情報を取得することと、
前記取得されたポインタ情報に現在関連付けられている好ましい受信構成を決定することと、
前記第１のスケジュールされたダウンリンク送信を受信するために、前記決定された好ましい受信構成を使用することと
を行うように構成され、
前記構成されたオブジェクトが、無線リソース制御（ＲＲＣ）構成オブジェクトであり、
前記ＲＲＣ構成オブジェクトが、参照信号測定オブジェクトであり、
前記オブジェクトが、複数の参照信号を含んでおり、前記好ましい受信構成がアナログ受信（ＲＸ）ビームであり、前記第１のスケジューリングメッセージがダウンリンク制御情報（ＤＣＩ）である、
ユーザ機器（ＵＥ）（１０２）。
【請求項８】
ユーザ機器（ＵＥ）（１０２）であって、
前記ＵＥのための第１のスケジュールされたダウンリンク送信に関する第１のスケジューリングメッセージを受信するための第１の受信モジュール（７０２）であって、前記第１のスケジューリングメッセージが、前記ＵＥにおいて構成されたオブジェクトを指すポインタ情報を備える、第１の受信モジュール（７０２）と、
前記第１のスケジューリングメッセージから前記ポインタ情報を取得するように構成された取得モジュール（７０４）と、
前記取得されたポインタ情報に現在関連付けられている好ましい受信構成を決定するように構成された決定モジュール（７０６）と、
前記第１のスケジュールされたダウンリンク送信を受信するために、前記決定された好ましい受信構成を使用するように構成された第２の受信モジュール（７０８）と
を備え、
前記構成されたオブジェクトが、無線リソース制御（ＲＲＣ）構成オブジェクトであり、
前記ＲＲＣ構成オブジェクトが、参照信号測定オブジェクトであり、
前記オブジェクトが、複数の参照信号を含んでおり、前記好ましい受信構成がアナログ受信（ＲＸ）ビームであり、前記第１のスケジューリングメッセージがダウンリンク制御情報（ＤＣＩ）である、
ユーザ機器（ＵＥ）（１０２）。
【請求項９】
前記ＵＥが、前記オブジェクト中の前記複数の参照信号のうちの好ましい参照信号をサービングノードに報告するように構成された、請求項７または８に記載のＵＥ。
【請求項１０】
前記ポインタ情報が、前記ＤＣＩのビットのセットを備え、ビットの前記セットは、少なくとも、前記ＵＥが前記第１のスケジュールされたダウンリンク送信を受信するときに仮定するべきである空間擬似コロケーション（ＱＣＬ）仮定を指示する、請求項８または９に記載のＵＥ。
【請求項１１】
前記測定オブジェクトが、リソースセッティング、ＣＳＩ−ＲＳリソースセット、およびＣＳＩリポートセッティングのうちの１つである、請求項７から１０のいずれか一項に記載のＵＥ。
【請求項１２】
ビーム管理のための方法（８００）であって、前記方法は、ネットワーク（ＮＷ）（１０４）によって実施され、
複数のＲＳ測定オブジェクトを用いて、ユーザ機器（ＵＥ）（１０２）を構成すること（ｓ８０２）であって、前記複数のＲＳ測定オブジェクトの各々が、少なくとも１つの測定リソースを含んでいる、ユーザ機器（ＵＥ）（１０２）を構成すること（ｓ８０２）と、
前記構成されたＲＳ測定オブジェクトの各々についての測定リソースを送信すること（ｓ８０４）と、
各ＲＳ測定オブジェクトについて、前記ＲＳ測定オブジェクト内の各測定リソースを送信するために使用される送信構成を記憶すること（ｓ８０６）と、
前記ＲＳ測定オブジェクトの各々について、前記ＵＥから、各ＲＳ測定オブジェクト内の好ましい測定リソースのインジケータを備える測定リポートを受信すること（ｓ８０８）と、
前記ＵＥに、前記ＵＥのための第１のスケジュールされたダウンリンク送信に関する第１のスケジューリングメッセージを送信すること（ｓ８１０）であって、前記第１のスケジューリングメッセージが、前記ＵＥにおいて構成された前記ＲＳ測定オブジェクトのうちの１つを指すポインタ情報を備え、前記ポインタ情報が、前記ＵＥにおける好ましい受信構成に現在関連付けられており、前記好ましい受信構成がアナログ受信（ＲＸ）ビームであり、前記第１のスケジューリングメッセージがダウンリンク制御情報（ＤＣＩ）である、第１のスケジューリングメッセージを送信すること（ｓ８１０）と、
前記第１のスケジューリングメッセージを送信した後に、前記ポインタ情報が指す前記ＲＳ測定オブジェクト内の好ましい測定リソースに対応する送信構成を使用して、前記第１のスケジュールされたダウンリンク送信を送信すること（ｓ８１２）と
を含む、方法（８００）。
【請求項１３】
前記少なくとも１つの測定リソースがＣＳＩ−ＲＳリソースである、請求項１２に記載の方法。
【請求項１４】
ネットワーク（１０４）であって、
複数のＲＳ測定オブジェクトを用いてＵＥを構成することであって、前記複数のＲＳ測定オブジェクトの各々が、少なくとも１つの測定リソースを含んでいる、ＵＥを構成することと、
前記構成されたＲＳ測定オブジェクトの各々についての測定リソースを送信することと、
各ＲＳ測定オブジェクトについて、前記ＲＳ測定オブジェクト内の各測定リソースを送信するために使用される送信構成を記憶することと、
前記ＲＳ測定オブジェクトの各々について、前記ＵＥから、各ＲＳ測定オブジェクト内の好ましい測定リソースのインジケータを備える測定リポートを受信することと、
前記ＵＥに、前記ＵＥのための第１のスケジュールされたダウンリンク送信に関する第１のスケジューリングメッセージを送信することであって、前記第１のスケジューリングメッセージが、前記ＵＥにおいて構成された前記ＲＳ測定オブジェクトのうちの１つを指すポインタ情報を備え、前記ポインタ情報が、前記ＵＥにおける好ましい受信構成に現在関連付けられており、前記好ましい受信構成がアナログ受信（ＲＸ）ビームであり、前記第１のスケジューリングメッセージがダウンリンク制御情報（ＤＣＩ）である、第１のスケジューリングメッセージを送信することと、
前記第１のスケジューリングメッセージを送信した後に、前記ポインタ情報が指す前記ＲＳ測定オブジェクト内の好ましい測定リソースに対応する送信構成を使用して、前記第１のスケジュールされたダウンリンク送信を送信することと
を行うように構成された、ネットワーク（１０４）。
【請求項１５】
ネットワーク（１０４）であって、
複数のＲＳ測定オブジェクトを用いてＵＥを構成するための構成モジュール（１００２）であって、前記複数のＲＳ測定オブジェクトの各々が、少なくとも１つの測定リソースを含んでいる、構成モジュール（１００２）と、
前記構成されたＲＳ測定オブジェクトの各々についての測定リソースを送信するための第１の送信モジュール（１００４）と、
各ＲＳ測定オブジェクトについて、前記ＲＳ測定オブジェクト内の各測定リソースを送信するために使用される送信構成を記憶するための記憶モジュール（１００６）と、
前記ＲＳ測定オブジェクトの各々について、前記ＵＥから、各ＲＳ測定オブジェクト内の好ましい測定リソースのインジケータを備える測定リポートを受信するための受信モジュール（１００８）と、
前記ＵＥに、前記ＵＥのための第１のスケジュールされたダウンリンク送信に関する第１のスケジューリングメッセージを送信するための第２の送信モジュール（１０１０）であって、前記第１のスケジューリングメッセージが、前記ＵＥにおいて構成された前記ＲＳ測定オブジェクトのうちの１つを指すポインタ情報を備え、前記ポインタ情報が、前記ＵＥにおける好ましい受信構成に現在関連付けられており、前記好ましい受信構成がアナログ受信（ＲＸ）ビームであり、前記第１のスケジューリングメッセージがダウンリンク制御情報（ＤＣＩ）である、第２の送信モジュール（１０１０）と、
前記第１のスケジューリングメッセージが送信された後に、前記ポインタ情報が指す前記ＲＳ測定オブジェクト内の好ましい測定リソースに対応する送信構成を使用して、前記第１のスケジュールされたダウンリンク送信を送信するための、第３の送信モジュール（１０１２）と
を備える、ネットワーク（１０４）。
【請求項１６】
前記少なくとも１つの測定リソースがＣＳＩ−ＲＳリソースである、請求項１５に記載のネットワーク。
【国際調査報告】
2020524934.tif 000017
2020524934.tif 000018